(57)【要約】【課題】学校、会社等の特定の施設へ通う管理対象者の施設への出退状況を、管理対象者の所有するＩＣタグを介して自動で管理し、連絡先に通知する管理システムにおいて、システムの加入者側に不快感を与えることなく、このシステムを利用するための費用負担を低減することを目的とする。【解決手段】グループ（例えば、家族）に属する会員種別Ａの会員（例えば、子供）の第１管理対象施設１０への出退状況が、連絡先（例えば、保護者のメールアドレス）に自動で通知され、一方、第２管理対象施設２０の広告情報が、グループ広告送信先（例えば、家のパソコンのアドレス）に送信される。また、同じグループの会員（例えば、保護者）が第２管理対象施設２０を利用した場合には、本システムの会員であることが第２管理対象施設２０の第２管理端末２４に通知される。【選択図】図１
2007193673.tif 000002
【特許請求の範囲】
【請求項１】
複数の管理対象者が各々所持し、管理対象者個人及び管理対象者が属する管理グループを識別可能なＩＤが記憶されたＩＣタグを介して、各管理対象者による複数の管理対象施設の利用を、各管理対象者が属する管理グループ毎に管理する管理システムであって、
前記複数の管理対象施設のうち、管理対象者の出退状況を管理すべき施設として設定された第１管理対象施設に設置され、前記ＩＣタグから前記ＩＤを読み取る第１タグリーダと、
前記複数の管理対象者のうち、前記第１管理対象施設への出退状況を管理すべき第１管理対象者毎に、該第１管理対象施設への出退状況を記憶するための出退状況記憶手段と、
前記第１タグリーダにて読み取られたＩＤに基づき、前記第１管理対象者の前記第１管理対象施設への出退を検知し、該検知結果を該第１管理対象者の第１管理対象施設への出退履歴として、前記出退状況記憶手段に登録する出退履歴登録手段と、
前記出退履歴登録手段により前記出退状況記憶手段に登録された出退履歴が更新されると、該更新された出退履歴に対応する第１管理対象者の属する管理グループ毎に予め設定された連絡先に、更新後の出退状況を通知する出退状況通知手段と、
前記複数の管理対象施設のうち、管理対象者の利用状況を管理すべき施設として設定された第２管理対象施設に設置され、前記ＩＣタグから前記ＩＤを読み取る第２タグリーダと、
前記複数の管理対象者のうち、前記第２管理対象施設の利用状況を管理すべき第２管理対象者毎に、該第２管理対象施設の利用状況を記憶するための利用状況記憶手段と、
前記第２タグリーダにて読み取られたＩＤに基づき、前記第２管理対象者の前記第２管理対象施設の利用を検知して、該検知結果を該第２管理対象者の第２管理対象施設の利用履歴として、前記利用状況記憶手段に登録すると共に、前記ＩＤが前記第２管理対象者のものであるか否かを前記第２管理対象施設の情報端末に送信する利用履歴登録手段と、
前記第２管理対象施設の場所、種別、開催されるイベント等の施設情報を記憶するための施設情報記憶手段と、
前記管理グループ毎に予め設定された情報送信先に、前記施設情報記憶手段に記憶された施設情報を送信する施設情報送信手段と、
を備えたことを特徴とする管理システム。
【請求項２】
前記利用履歴登録手段により前記利用状況記憶手段に登録された利用履歴が更新されると、該更新された利用履歴に対応する第２管理対象者が属する管理グループの連絡先に、更新後の利用状況を通知する利用状況通知手段を備えたことを特徴とする請求項１に記載の管理システム。
【請求項３】
前記第２管理対象施設の情報端末は、前記第２タグリーダにて取得したＩＤと共に、前記第２管理対象者の第２管理対象施設の利用に基づく利用ポイントを前記利用履歴登録手段に送信するように構成されており、
前記利用ポイントを、各第２管理対象者毎に記憶するための利用ポイント記憶手段を備え、
前記利用履歴登録手段は、前記ＩＤと共に前記利用ポイントを受信すると、前記利用ポイント記憶手段に各第２管理対象者毎に記憶された利用ポイントを更新することを特徴とする請求項１または請求項２に記載の管理システム。
【請求項４】
外部からの指令に従い、前記利用ポイント記憶手段に記憶された第２管理対象者毎の利用ポイントを、当該第２管理対象者が属する管理グループ内の特定の管理対象者に統合するポイント統合手段を備えたことを特徴とする請求項３に記載の管理システム。
【請求項５】
前記施設情報送信手段は、前記利用状況記憶手段に利用状況が記憶されている場合に、該利用状況が記憶された第２管理対象施設の施設情報を前記情報送信先に送信することを特徴とする請求項１〜請求項４の何れかに記載の管理システム。
【請求項６】
前記施設情報送信手段は、前記施設情報に対して予め設定された送信タイミングに基づいて、前記情報送信先に前記施設情報を送信することを特徴とする請求項１〜請求項５の何れかに記載の管理システム。
【請求項７】
前記複数の第２管理対象施設を設置場所毎にグループ分けした地域情報を有し、
前記利用履歴登録手段により前記利用状況記憶手段に登録された利用履歴が更新されると、前記地域情報に基づき、前記利用履歴が更新された第２管理対象施設と同じ地域に設置された他の第２管理対象施設を抽出し、該抽出した施設の施設情報を、前記更新された利用履歴に対応する第２管理対象者の属する管理グループの情報送信先に送信する周辺情報送信手段を備えたことを特徴とする請求項１〜請求項６の何れかに記載の管理システム。
【請求項８】
広域ネットワークを介して外部情報端末から第２管理対象施設の施設情報を受信すると、前記施設情報記憶手段に記憶された第２管理対象施設の施設情報を、受信した施設情報にて更新する情報更新手段を備えたことを特徴とする請求項に記載の１〜請求項７の何れかに記載の管理システム。
【請求項９】
前記第２管理対象施設毎に、前記第２管理対象者により利用されたことを表す広告ポイントを記憶するための広告ポイント記憶手段と、
前記利用履歴登録手段により前記利用状況記憶手段に登録された利用履歴が更新されると、前記利用履歴が更新された第２管理対象施設の広告ポイントを、前記広告ポイント記憶手段に登録する広告ポイント登録手段と、
を備えたことを特徴とする請求項１〜請求項８の何れかに記載の管理システム。
【請求項１０】
予め設定された一定時間内に、前記第２タグリーダによって、同一管理グループに属するＩＤが読み取られたか否かを判断する第２ＩＤ判断手段を備え、
前記利用履歴登録手段は、前記ＩＤが前記第２管理対象者のものであるか否かと共に、前記第２ＩＤ判断手段による判断結果を前記第２管理対象施設の情報端末に送信することを特徴とする請求項１〜請求項９の何れかに記載の管理システム。
【請求項１１】
予め設定された一定時間内に、前記第１タグリーダによって、同一管理グループに属するＩＤが読み取られたか否かを判断する第１ＩＤ判断手段と、
該第１ＩＤ判断手段により前記同じ管理グループのＩＤがないと判断されると、警告を報知する報知手段と、
を備えたことを特徴とする請求項１〜請求項１０の何れかに記載の管理システム。
【請求項１２】
広域ネットワークを介して、外部情報端末から前記ＩＤと、出退状況の要求指令と、を受信すると、前記ＩＤに対応する管理対象者が属する管理グループの第１管理対象者の出退状況を前記出退状況記憶手段から読み取り、前記管理グループの連絡先に通知するグループ状況通知手段を備えたこと特徴とする請求項１〜請求項１１の何れかに記載の管理システム。
【発明の詳細な説明】
【技術分野】
【０００１】
本発明は、塾、学校、会社、病院、店舗といった各種施設を利用する関係者による各施設の利用を管理するための管理システムに関する。
【背景技術】
【０００２】
従来より、塾、学校、会社、病院等において、これらの施設に通う関係者（生徒、学生、教師、社員、医者、看護士等）が登校又は出勤したときや、下校又は帰社したときに、保護者や配偶者等にその旨を自動で通知することにより、保護者や配偶者等が関係者の所在若しくは行動を把握できるようにすることが提案されている（例えば特許文献１等参照）。
【０００３】
つまり、この提案のシステムでは、学生等に個人の識別情報を記憶したＩＣカードを持たせ、学生等が通う施設の出入り口には、学生等が所持するＩＣカードから識別情報を読み取るカードリーダを配置することにより、学生等の施設への出退状況を自動で検知できるようにし、しかも、その出退状況を検知した際には、その時刻を記録することで出退履歴を残すと共に、保護者等の予め設定された連絡先に学生等が登校又は下校（或いは出勤或いは帰社）した旨を通知するようにしている（例えば、特許文献１等参照）。
【特許文献１】特開２００４−４６４５８号公報
【発明の開示】
【発明が解決しようとする課題】
【０００４】
上記提案のシステムによれば、保護者等は連絡先に居ることにより学生等の出退状況を容易に把握することができるため、非常に便利であるが、このようなシステムを運営するためには費用がかかるという問題があった。そこで、例えば、スポンサーを募り、学生等が登校又は下校した旨を通知する際に、このスポンサーの広告を同時に通知し、スポンサーから広告料を取得することにより加入者の費用負担を低減することが考えられる。
【０００５】
しかしながら、このようにスポンサーの広告を一方的に通知すると、加入者側は大量の情報を受信しなくてはならず、不必要な情報も増えてしまう。そして、人によっては不必要な情報を受信することを不快に感じることもあるため、このような人のシステムへの加入を抑制してしまうおそれがある。
【０００６】
本発明は、こうした問題に鑑みなされたもので、学校、会社等の特定の施設へ通う管理対象者の施設への出退状況を、管理対象者の所有するＩＣタグを介して自動で管理し、連絡先に通知する管理システムにおいて、システムの加入者側に不快感を与えることなく、このシステムを利用するための費用負担を低減することを目的とする。
【課題を解決するための手段】
【０００７】
かかる目的を達成するためになされた請求項１に記載の発明は、
複数の管理対象者が各々所持し、管理対象者個人及び管理対象者が属する管理グループを識別可能なＩＤが記憶されたＩＣタグを介して、各管理対象者による複数の管理対象施設の利用を、各管理対象者が属する管理グループ毎に管理する管理システムであって、
前記複数の管理対象施設のうち、管理対象者の出退状況を管理すべき施設として設定された第１管理対象施設に設置され、前記ＩＣタグから前記ＩＤを読み取る第１タグリーダと、
前記複数の管理対象者のうち、前記第１管理対象施設への出退状況を管理すべき第１管理対象者毎に、該第１管理対象施設への出退状況を記憶するための出退状況記憶手段と、
前記第１タグリーダにて読み取られたＩＤに基づき、前記第１管理対象者の前記第１管理対象施設への出退を検知し、該検知結果を該第１管理対象者の第１管理対象施設への出退履歴として、前記出退状況記憶手段に登録する出退履歴登録手段と、
前記出退履歴登録手段により前記出退状況記憶手段に登録された出退履歴が更新されると、該更新された出退履歴に対応する第１管理対象者の属する管理グループ毎に予め設定された連絡先に、更新後の出退状況を通知する出退状況通知手段と、
前記複数の管理対象施設のうち、管理対象者の利用状況を管理すべき施設として設定された第２管理対象施設に設置され、前記ＩＣタグから前記ＩＤを読み取る第２タグリーダと、
前記複数の管理対象者のうち、前記第２管理対象施設の利用状況を管理すべき第２管理対象者毎に、該第２管理対象施設の利用状況を記憶するための利用状況記憶手段と、
前記第２タグリーダにて読み取られたＩＤに基づき、前記第２管理対象者の前記第２管理対象施設の利用を検知して、該検知結果を該第２管理対象者の第２管理対象施設の利用履歴として、前記利用状況記憶手段に登録すると共に、前記ＩＤが前記第２管理対象者のものであるか否かを前記第２管理対象施設の情報端末に送信する利用履歴登録手段と、
前記第２管理対象施設の場所、種別、開催されるイベント等の施設情報を記憶するための施設情報記憶手段と、
前記管理グループ毎に予め設定された情報送信先に、前記施設情報記憶手段に記憶された施設情報を送信する施設情報送信手段と、
を備えたことを特徴とする。
【０００８】
このように構成された本発明の管理システムにおいては、複数の管理対象施設のうち、管理対象者の出退状況を管理すべき施設として設定された第１管理対象施設に設置された第１タグリーダにて、管理対象者の所持するＩＣタグからＩＤが読み取られると、出退履歴登録手段が、第１タグリーダにて読み取られたＩＤに基づき、第１管理対象者の第１管理対象施設への出退を検知し、この検知結果を第１管理対象者の第１管理対象施設への出退履歴として、出退状況記憶手段に登録する。そして、このように、出退状況記憶手段に登録された出退履歴が更新されると、出退状況通知手段が、その更新された出退履歴に対応する第１管理対象者の属する管理グループ毎に予め設定された連絡先に、更新後の出退状況を通知する。
【０００９】
このため、本発明の管理システムによれば、各管理グループ毎に、出退状況を通知すべき連絡先（例えば、保護者や配偶者等の電話番号やメールアドレス）を予め設定しておけば、各管理グループ（例えば、家族）に属する第１管理対象者（例えば、子供）が第１管理対象施設（例えば、学校等）への登校、または、第１管理対象施設から下校する際に、その旨が連絡先に自動で通知されて、連絡先に居る保護者は、第１管理対象者の所在や行動を確認することができる。
【００１０】
また、本発明の管理システムにおいては、複数の管理対象施設のうち、管理対象者の利用状況を管理すべき施設として設定された第２管理対象施設に設置された第２タグリーダにて、管理対象者の所持するＩＣタグからＩＤが読み取られると、利用履歴登録手段が、
第２タグリーダにて読み取られたＩＤに基づき、第２管理対象者の第２管理対象施設の利用を検知して、この検知結果を第２管理対象者の第２管理対象施設の利用履歴として利用状況記憶手段に登録すると共に、読み取られたＩＤが第２管理対象者のものであるか否かを第２管理対象施設の情報端末に送信する。また、施設情報送信手段が、管理グループ毎に予め設定された情報送信先に、施設情報記憶手段に記憶された施設の場所、種別、開催されるイベント等の施設情報を送信する。
【００１１】
このため、本発明の管理システムによれば、各管理グループ毎に、施設情報を送信すべき情報送信先（例えば、家のパソコンのアドレス）を予め設定しておけば、第２管理対象施設の施設情報（例えば、スーパー、美容院、レストラン等の施設の場所、詳細、及び、イベント情報）が情報送信先に送信される。そして、第２管理対象者（例えば、保護者）が第２管理対象施設を利用した場合には、第２管理対象者であることが第２管理対象施設の情報端末に通知されるので、第２管理対象施設の管理者はこの旨を確認することができ、例えば、この第２管理対象者に割引等の特典を与えることが可能となる。
【００１２】
よって、本発明の管理システムによれば、第２管理対象施設の施設情報が管理対象者に通知されるので、第２管理対象施設の管理者から広告料を取得することができ、一方、第２管理対象者は、第２管理対象施設にて特典を受けられることにより第２管理対象施設から通知される施設情報が単に無駄な情報ではなくなるので、システムの加入者、つまり、管理グループに属する管理対象者に不快感を与えることなく、加入者の費用負担を低減することが可能である。
【００１３】
次に、請求項２に記載の発明は、請求項１に記載の管理システムにおいて、利用履歴登録手段により利用状況記憶手段に登録された利用履歴が更新されると、利用状況通知手段が、更新された利用履歴に対応する第２管理対象者が属する管理グループの連絡先に、更新後の利用状況を通知することを特徴とする。
【００１４】
よって、請求項２に記載の管理システムによれば、予め通知要求を設定しておくことにより、第２管理対象者が第２管理対象施設を利用した場合に、その旨が連絡先に自動で通知される。このため、連絡先に居る保護者や配偶者等は、第２管理対象者の利用した店舗により、第２管理対象者の所在を確認することができる。
【００１５】
また、請求項３に記載の発明は、請求項１または請求項２に記載の管理システムにおいて、第２管理対象施設の情報端末が、第２タグリーダにて取得したＩＤと共に、利用ポイントを利用履歴登録手段に送信するように構成されており、利用履歴登録手段がＩＤと共に利用ポイントを受信すると、利用ポイント記憶手段に記憶された第２管理対象者の第２管理対象施設の利用に基づく利用ポイントを更新することを特徴とする。
【００１６】
よって、請求項３に記載の管理システムによれば、第２管理対象者が第２管理対象施設を利用した場合に利用ポイントが加算されるので、管理システムの管理者は第２管理対象者の第２管理対象施設の利用頻度を把握することができる。そして、例えば、第２管理対象者の利用ポイントに応じて、プレゼントを提供したり、割引したりすることにより、第２管理対象者に対して第２管理対象施設に利用を促すことができる。
【００１７】
また、請求項３に記載の管理システムは、請求項４に記載のように、外部からの指令に従い、ポイント統合手段が、利用ポイント記憶手段に記憶された第２管理対象者毎の利用ポイントを、この第２管理対象者が属する管理グループ内の特定の管理対象者に統合するように構成してもよい。
【００１８】
つまり、請求項４に記載の発明によれば、例えば家族等の管理グループ毎に利用ポイントを統合することができるので、管理グループ毎の第２管理対象施設の利用頻度を容易に把握することができる。そして、例えば、利用ポイントに応じて、その管理グループに対する本システムの利用料金を割引したりすることも可能である。
【００１９】
一方、請求項５に記載の発明は、請求項１〜請求項４の何れかに記載の管理システムにおいて、利用状況記憶手段に利用状況が記憶されている場合に、施設情報送信手段が、利用状況が記憶された第２管理対象施設の施設情報を情報送信先に送信することを特徴とする。
【００２０】
つまり、第２管理対象施設の数が多い場合には、全ての第２管理対象施設の施設情報が送信されてしまうと、連絡先に設定されている保護者等は多大な情報を受信しなければならず、都合が悪い。そこで、請求項５に記載のように、利用したことのある第２管理対象施設の施設情報のみ送信されるようにすれば、保護者等は不必要と思われる情報を受け取る必要がないので、好都合である。
【００２１】
次に、請求項６に記載の発明は、請求項１〜請求項５の何れかに記載の管理システムにおいて、施設情報送信手段が、施設情報に対して予め設定された送信タイミングに基づいて、情報送信先にこの施設情報を送信することを特徴とする。
【００２２】
そして、請求項６に記載の発明によれば、第２管理対象施設の管理者は、例えば日付や日数等を送信タイミングとして設定しておくことにより、第２管理対象者が施設を利用してから経過した日数に応じて、施設情報（例えば、美容院であれば、３０日毎にカットする時期であることを通知する等）が自動で送信されるので、便利である。
【００２３】
また、請求項７に記載の発明は、請求項１〜請求項６の何れかに記載の管理システムにおいて、複数の第２管理対象施設を設置場所毎にグループ分けした地域情報を有し、利用履歴登録手段により利用状況記憶手段に登録された利用履歴が更新されると、周辺情報送信手段が、地域情報に基づき、利用履歴が更新された第２管理対象施設と同じ地域に設置された第２管理対象施設を抽出し、抽出した施設の施設情報を、その更新された利用履歴に対応する第２管理対象者の属する管理グループの情報送信先に送信することを特徴とする。
【００２４】
よって、請求項７に記載の発明によれば、例えば、家族のメンバー（例えば、子供）である第２管理対象者が第２管理対象施設を利用すると、第２管理対象者が利用した地域にある他の第２管理対象施設の施設情報が情報送信先に送信されるので、情報送信先にいる家族の一員（例えば、母親）がその施設の情報を確認することができるので、その施設の情報に基づいて、母親は子供に買物を頼むことができるようになり、便利である。
【００２５】
次に、請求項８に記載の発明は、請求項１〜請求項７の何れかに記載の管理システムにおいて、広域ネットワークを介して外部情報端末から第２管理対象施設の施設情報を受信すると、情報更新手段が、施設情報記憶手段に記憶された第２管理対象施設の施設情報を、受信した施設情報にて更新することを特徴とする。
【００２６】
よって、請求項８に記載の発明によれば、第２管理対象施設の管理者は、広域ネットワークを介して、容易に管理対象者に通知するための施設情報を書き換えることができるので便利である。
【００２７】
また、請求項９に記載の発明は、請求項１〜請求項８の何れかに記載の管理システムにおいて、第２管理対象施設毎に、第２管理対象者により利用されたことを表す広告ポイントを記憶するための広告ポイント記憶手段を備え、利用履歴登録手段により利用状況記憶手段に登録された利用履歴が更新されると、広告ポイント登録手段が、利用履歴が更新された第２管理対象施設の広告ポイントを、広告ポイント記憶手段に登録することを特徴とする。
【００２８】
そして、請求項９に記載の発明によれば、第２管理対象者により第２管理対象施設が利用されると、第２管理対象施設の広告ポイントが登録されるので、この広告ポイントにより、第２管理対象施設の第２管理対象者による利用頻度を把握することができる。そこで、例えば、この広告ポイントに応じて第２管理対象施設から広告料をもらうようなことができるようになる。
【００２９】
一方、請求項１０に記載の発明は、請求項１〜請求項９の何れかに記載の管理システムにおいて、第２ＩＤ判断手段が、予め設定された一定時間内に、第２タグリーダによって同一管理グループに属するＩＤが読み取られたか否かを判断し、利用履歴登録手段が、ＩＤが第２管理対象者のものであるか否かと共に、第２ＩＤ判断手段による判断結果を、第２管理対象施設の情報端末に送信することを特徴とする。
【００３０】
よって、請求項１０に記載の管理システムによれば、第２管理対象施設を、同じ管理グループのＩＣタグを所持する第２管理対象者（例えば、保護者、兄弟）が利用した場合に、同じ管理グループの第２管理対象者であるか否かが通知されるので、同じ管理グループに所属する管理対象者が２人で第２管理対象施設を利用した場合に、特別な割引をしたり特典を提供したりすることができる。
【００３１】
次に、請求項１１に記載の発明は、請求項１〜請求項１０の何れかに記載の管理システムにおいて、第１ＩＤ判断手段が、予め設定された一定時間内に、第１タグリーダによって同一管理グループに属するＩＤが読み取られたか否かを判断し、この第１ＩＤ判断手段により同じ管理グループのＩＤがないと判断されると、報知手段が、警告を報知することを特徴とする。
【００３２】
よって、請求項１１に記載の発明によれば、第１管理対象者（例えば、子供）が一人で学校の出入口を通過した場合には報知手段から警告が発生され、同じ管理グループのＩＣタグを所持する管理対象者（例えば、保護者、兄弟）と一緒に出入口を通過した場合には警告が発生されない。このため、例えば、常時、保護者等が第１管理対象者を送り迎えするような第１管理対象施設において、第１管理対象者が１人で出入口を通過した場合に、警告により周囲にいる先生等にその状況を知らせることができる。
【００３３】
また、請求項１２に記載の発明は、請求項１〜請求項１１の何れかに記載の発明において、広域ネットワークを介して、外部情報端末から前記ＩＤと、出退状況の要求指令と、を受信すると、グループ状況通知手段が、受信したＩＤに対応する管理対象者が属する管理グループの第１管理対象者の出退状況を出退状況記憶手段から読み取り、管理グループの連絡先に通知することを特徴とする。
【００３４】
よって、請求項１２に記載の発明によれば、パソコン等の外部情報端末から、ＩＤと、出退状況の要求指令をグループ状況通知手段に送信することにより、送信したＩＤと同じ管理グループ（例えば家族）に属する第１管理対象者（例えば、子供）のその時点での出退状況が連絡されてくるので、保護者等は必要なときに、出退状況を確認することができる。
【発明を実施するための最良の形態】
【００３５】
以下に本発明の実施形態を図面と共に説明する。
［第１実施形態］
図１は、本発明が適用された第１実施形態の管理システム全体の構成を表す概略構成図である。
【００３６】
図１に示すように、本実施形態の管理システムは、塾若しくは学校である第１管理対象施設１０に通う生徒の出退状況、スーパー、美容院、レストラン等の各種店舗である第２管理対象施設２０を利用する生徒及び生徒の家族のメンバーによる利用状況を、各家族メンバーが各々所持するＩＣタグ２を介して、管理センタ５０にて管理するものである。なお、図１において、第１管理対象施設１０及び第２管理対象施設２０は夫々１つずつ記載しているが、本実施形態においては、各施設は夫々複数設けられているものとする。また、本実施形態においては、第１管理対象施設１０に通う生徒と、その生徒の家族の各家族メンバーが本管理システムの会員である。
【００３７】
第１管理対象施設１０は、施設の出入り口或いは各教室毎に設置されたタグリーダ１２と、タグリーダ１２に接続された通信端末１４と、先生が生徒の出退状況を確認したり変更したりするため第１管理端末１６とを備えている。
【００３８】
タグリーダ１２は、ＩＣタグ２から、ＩＣタグ２に記憶されたタグのＩＤ（以下、タグＩＤともいう）を読み取るためのものであり、本実施形態では、数十ｃｍ離れたＩＣタグ２からタグＩＤを非接触に読み取ることのできるものが使用されている。
【００３９】
また、ＩＣタグ２には、タグリーダ１２及び後述する第２管理対象施設２０に設置されるタグリーダ２２により非接触で情報を読み取ることができるように、タグリーダ１２からの無線による送信電力により起動して識別情報を無線送信する機能を有するＲＦＩＤタグが用いられている。
【００４０】
通信端末１４は、広域ネットワーク（本実施形態ではインターネット３）に接続されており、タグリーダ１２にて読み取られたＩＣタグ２のタグＩＤと、第１管理対象施設の識別情報（本実施形態では各第１管理対象施設毎に設定された第１施設ＩＤ）を、インターネット３を介して、インターネット３に接続された管理センタ５０内の管理用コンピュータ６０に送信するように構成されている。
【００４１】
第１管理端末１６は、パーソナルコンピュータ（以下、単にパソコンともいう）からなり、操作者（つまり先生）によるキーボードやマウスの操作に従い、管理センタ５０側の管理用コンピュータ６０からインターネット３を介して出退管理のための各種情報を取得し、取得した情報を適宜ディスプレイに表示できるように構成されている。なお、生徒の出退状況は全て管理センタ５０側で管理されており、この第１管理端末１６は、先生が生徒の出退状況を確認したり変更したりするための端末である。
【００４２】
次に、第２管理対象施設２０は、その施設の場所に応じて複数のエリアグループに分類されており、各第２管理対象施設２０（つまり、各店舗）は、施設の出入り口に設置されたタグリーダ２２と、レジ機能を有する第２管理端末２４と、を備えている。
【００４３】
タグリーダ２２は、タグリーダ１２と同様に、数十ｃｍ離れたＩＣタグ２からタグＩＤを非接触に読み取り可能に構成されており、第２管理端末２４に接続されている。
第２管理端末２４は、店舗を利用した人の利用金額を計算し、利用金額等に基づいて利用ポイントを算出する機能を備えるパソコンにより構成されており、タグリーダ２２にて読み取られたＩＣタグ２のタグＩＤと、第２管理対象施設の識別情報（本実施形態では各第２管理対象施設毎に設定された第２施設ＩＤ）と、算出した利用ポイントと、をインターネット３を介してインターネット３に接続された管理センタ５０内の管理用コンピュータ６０に送信するように構成されている。
【００４４】
また、第２管理端末２４は、操作者（つまり施設の運営者等）によるキーボードやマウスの操作に従い、管理センタ５０側の管理用コンピュータ６０に登録された第２管理対象施設２０の場所、種別、開催イベント等の広告情報をインターネット３を介して更新できるように構成されている。
【００４５】
一方、管理センタ５０には、第１管理対象施設１０に通う生徒、第２管理対象施設２０を利用する生徒及び生徒の家族のメンバー等により構成される本システムの会員の情報が家族毎に登録された会員情報データベース（会員情報ＤＢ）５２と、第２管理対象施設２０から家族に通知するための施設の場所、種別、開催イベント等の各種広告情報等が各第２管理対象施設毎に登録された業者情報データベース（業者情報ＤＢ）５４と、第１管理対象施設１０に通う生徒の出退情報が、各第１管理対象施設１０毎に登録された出退情報データベース（出退情報ＤＢ）５６と、生徒の出退状況を保護者等に通知するのに必要な通知情報が各第１管理対象施設１０毎に登録された通知情報データベース（通知情報ＤＢ）５８と、第１管理対象施設１０の通信端末１４から送信されてきたタグＩＤ等の情報、第１管理端末１６から送信されてきた指令、第２管理対象施設２０の第２管理端末２４から送信されてきたタグＩＤ等の情報及び指令に従い、これら各ＤＢ５２，５４，５６，５８からの情報を読み出し、情報の書き込み、若しくは書き換えを行う管理用コンピュータ６０と、家族毎に予め設定された連絡先に対して第１管理対象施設１０への出退状況等の各種情報を通知したり、第２管理対象施設２０の広告情報を情報送信先に送信したりするための通知用コンピュータ６２と、が備えられている。
【００４６】
そして、通知用コンピュータ６２は、管理用コンピュータ６０から入力される送信データに従い、連絡先または広告送信先に情報を送信する。
ここで、連絡先が電子メールアドレスであれば、インターネット３を利用した電子メール送信によって、家族のメンバーが所有する携帯電話６ａ、ＰＤＡ等の携帯情報端末６ｂ、パソコン等のインターネット端末６ｃに情報を送信する。
【００４７】
また、連絡先がファクシミリ装置の電話番号であれば、複数のモデム６４の一つを介してその電話番号に電話を掛けることで、公衆電話回線４上の特定のファクシミリ装置８ａを呼び出し、その後ファクシミリデータを送信することで、連絡先として登録されたファクシミリ装置８ａに、ファクシミリ画像にて情報を送信する。
【００４８】
また更に、連絡先が普通電話の電話番号であれば、複数のモデム６４の一つを介してその電話番号に電話を掛けることで、公衆電話回線４上の特定の電話装置８ｂを呼び出し、その電話装置８ｂから受呼信号が送信されてくると、音声データを送信することで、連絡先として登録された電話装置８ｂに音声にて情報を送信する。
【００４９】
一方、広告送信先としては電子メールアドレスが登録されるので、インターネット３を利用した電子メール送信によって、家族のメンバーが所有する携帯電話６ａ、ＰＤＡ等の携帯情報端末６ｂ、パソコン等のインターネット端末６ｃに情報を送信する。
【００５０】
次に、図２は、会員情報ＤＢ５２に登録された会員情報及び各会員毎に設定される会員種別の詳細を表し、図３は、業者情報ＤＢ５４、出退情報ＤＢ５６、通知情報ＤＢ５８にそれぞれ登録された第２管理対象施設の情報、生徒の出退情報、及び通知情報を表している。
【００５１】
本システムの会員情報は、図２（ａ）に示すように、グループ（本実施形態では家族）の連絡先（電子メールアドレス、ファクシミリ番号、電話番号等）、家族毎に設定された第２管理対象施設２０の広告情報の送信先（電子メールアドレス）、一般広告フラグ、グループ利用ポイント、家族のメンバー情報等からなり、各家族毎にその家族毎に設定されたグループ番号順に会員情報ＤＢ５２に登録されている。
【００５２】
一般広告フラグは、そのフラグがセットされているときに、全ての第２管理対象施設２０の情報が通知され、リセットされているときに利用履歴のある第２管理対象施設２０の情報のみが通知されることを表すフラグである。
【００５３】
グループ利用ポイントは、第２管理対象施設２０を同じグループ、つまり、家族のメンバーが利用したときに登録される利用ポイントであり、後述するメンバー情報の１つとして登録される利用ポイント統合フラグがセットされている場合に、その家族のメンバーの利用ポイントが、グループ利用ポイントとして登録される。
【００５４】
次に、家族のメンバー情報としては、本システムの各会員が所持するＩＣタグ２のタグＩＤ、会員の名前、会員種別、第１施設ＩＤ、学年、クラス、エリア広告フラグ、送信先フラグ、個人広告送信先、利用業者情報、利用ポイント統合フラグ、メンバー利用ポイント等が、各会員の登録番号に関連づけられて登録されている。
【００５５】
ここで、会員種別は、図２（ｂ）に示すように、第１管理対象施設での出退状況及び第２管理対象施設の利用状況を連絡先に通知するか否かにより３種類のうちの何れかが選択される。詳述すると、会員種別Ａは、第１管理対象施設１０の出退状況及び第２管理対象施設２０の利用状況が共に連絡先に通知される会員（学校、塾に通う生徒、例えば、子供等）を表し、会員種別Ｂは、第２管理対象施設２０の利用状況が連絡先に通知される会員（店舗を利用する家族メンバー、例えば、祖父、祖母、父親、等）を表し、会員種別Ｃは、何れの管理対象施設を利用しても連絡先に通知されない会員（店舗を利用し、かつ、家族メンバーの状況を把握したい家族メンバー、例えば母親等）である。このため、第１施設ＩＤ、学年、クラスは会員種別がＡの会員にのみ登録される。
【００５６】
エリア広告フラグは、このフラグがセットされているときに、会員が第２管理対象施設２０を利用した場合に、その第２管理対象施設２０と同じエリアグループに属する第２管理対象施設２０の広告情報の広告送信先への通知を要求することを表すフラグである。
【００５７】
また、送信先フラグは、このフラグがセットされているときに、広告送信先として、グループ広告送信先（つまり、家族の広告送信先）を選択することを表し、リセットされているときに、広告送信先として個人広告送信先（つまり、各会員の広告送信先）を選択することを表すフラグである。
【００５８】
個人広告送信先は、各会員毎に設定された広告情報の送信先であり、グループ広告送信先と同様に電子メールアドレスにより登録される。
利用業者情報は、会員が利用した第２管理対象施設２０の識別情報（本実施形態では第２施設ＩＤ）と、その第２管理対象施設２０の利用日または後述する利用者広告を送信した日からの経過日数を表すカウント値と、からなり、会員が第２管理対象施設２０を利用したときに登録される。なお、カウント値は、第２施設ＩＤが登録されたときは０にセットされ、その後、日付変わる度にインクリメントされる。そして、第２管理対象施設２０が再度利用されたとき、または、この会員の家族の広告送信先に利用者広告が送信されたときに再び０にセットされる。
【００５９】
利用ポイント統合フラグは、そのフラグがセットされているときに、家族のメンバーが利用したポイントを家族の利用ポイントとして登録することを表し、リセットされているときに、家族のメンバーが利用したポイントを、その会員の利用ポイントとして登録することを表すフラグである。また、メンバー利用ポイントは、利用ポイント統合フラグがリセットされているときに、登録される利用ポイントである。
【００６０】
なお、一般広告フラグは各家族毎、エリア広告フラグ、送信先フラグ、及び、利用ポイント統合フラグは、各会員毎にセットするか否かを選択可能である。
業者情報は、図３（ａ）に示すように、第２管理対象施設２０の属するエリアグループの番号、一般広告、利用者広告、及び、エリア広告等の広告情報、広告送信日数、広告ポイント、利用通知情報等が、各第２管理対象施設２０毎に第２施設ＩＤ順に登録されている。
【００６１】
一般広告は、予め設定されたタイミングで各家族のグループ広告送信先に送信される広告であり、例えば、第２管理対象施設２０の場所、種別、営業時間、開催イベントの情報等が登録される。また、利用者広告は、会員の利用業者情報の日数カウンタが、広告送信日数を経過したときに送信される広告であり、例えば、第２管理対象施設２０が美容院であれば、一定時期を経過したのでカットはいかがでしょうかといったような再来店を促す情報、レストランであれば、特別割引をしますといったような再来店を促す情報等が登録される。
【００６２】
一方、エリア広告は、広告を送信する時点に、そのエリアにいる会員の広告送信先、または、その会員の家族の広告送信先に送信される広告であり、例えば、第２管理対象施設２０がスーパーであれば、タイムサービス情報、本日の特売情報等が登録される。
【００６３】
広告ポイントは、本システムの会員が第２管理対象施設２０を利用する度に、利用された第２管理対象施設２０に加算されるポイントであり、この広告ポイントにより、第２管理対象施設２０がどの程度システムの会員により利用されているかが表される。
【００６４】
利用通知情報は、通知用コンピュータ６２を介して、メール、ファクシミリ、音声等で家族のメンバーが第２管理対象施設２０を利用したことを通知する文（例えば、「（名前）が○時○分、△△△を利用しました。」等）を表す情報である。
【００６５】
出退情報は、図３（ｂ）に示すように、第１管理対象施設１０に通う生徒（つまり、会員種別がＡの会員）の登録番号に関連づけて各会員毎に登録されるものであり、タグリーダ１２のＩＤの読み取り状態に応じて更新される生徒の最新の出退状態を表す出退フラグ、先生がその生徒の出席を確認した際に第１管理端末１６を操作して手動でセットし得る出席確認フラグ、先生がその生徒から帰宅の報告を受けた際に第１管理端末１６を操作して手動でセットし得る帰宅確認フラグ、先生が保護者等から事前に欠席の報告を受けた際に第１管理端末１６を操作して手動でセットし得る欠席確認フラグ、及び、生徒の過去の出退状況を表す出退履歴、等から構成されている。そして、このような出退情報は、各第１管理対象施設１０毎に、各第１施設ＩＤに関連づけて出退情報ＤＢ５６に登録されている。
【００６６】
一方、通知情報は、通知用コンピュータ６２を介して、メール、ファクシミリ、音声等で保護者等に通知する文を表す情報であり、図３（ｃ）に示すように、通知情報ＤＢ５８には、生徒の出退状況に応じて通知する通知情報として、生徒が出席した時に通知する出席通知情報、生徒が帰宅した時に通知する帰宅通知情報、生徒が無断欠席した際に通知する無断欠席通知情報、生徒が無断帰宅した際に通知する無断帰宅通知情報、が登録されている。
【００６７】
また、通知情報ＤＢ５８には、複数の生徒への一斉連絡用の通知情報として、定期連絡用の通知情報と、緊急連絡用の通知情報とが登録されており、これら定期連絡用及び緊急連絡用の通知情報は、それぞれ、生徒全員への通知情報と、学年単位の通知情報と、クラス単位の通知情報とから構成されている。
【００６８】
また、通知情報ＤＢ５８には、各生徒毎に個別に連絡するための個別連絡用の通知情報が、生徒の会員情報の登録番号に関連づけて各生徒毎に登録されている。そして、この個別連絡用通知情報としては、個別通知専用の通知情報（個別通知情報）とは別に、生徒が出席した時に通知する出席通知情報に添付する出席通知添付情報、生徒が帰宅した時に通知する帰宅通知情報に添付する帰宅通知添付情報、及び、定期連絡用の通知情報に添付する定期通知添付情報、等を登録できるようにされている。
【００６９】
なお、このような通知情報は各第１管理対象施設１０毎に、各第１施設ＩＤに関連づけて登録されている。
次に、図４は、第１管理対象施設１０のタグリーダ１２、または、第２管理対象施設２０のタグリーダ２２にて読み取られ、インターネット３を介して送信されてくるＩＣタグ２のタグＩＤを受けて管理用コンピュータ６０が、会員種別がＡである会員（つまり、生徒）の第１管理対象施設１０への出退状況、全会員（つまり、生徒及びの家族のメンバー）の第２管理対象施設２０の利用状況を管理するために実行される施設利用管理処理を表すフローチャートである。
【００７０】
この施設利用管理処理は、本管理システムが稼働している間、管理用コンピュータ６０において実行される処理であり、処理が開始されると、まずＳ１１０にて、ＩＣタグ２のタグＩＤを受信したか否かを判断し、タグＩＤを受信した場合には（Ｓ１１０：ＹＥＳ）、続くＳ１１５にて、第１施設ＩＤまたは第２施設ＩＤを受信したか否かを判断する。そして、第１または第２施設ＩＤを受信したと判断した場合には（Ｓ１１５：ＹＥＳ）、Ｓ１２０に移行する。一方、Ｓ１１０にて、タグＩＤを受信していないと判断した場合（Ｓ１１０：ＮＯ）、Ｓ１１５にて、第１施設ＩＤまたは第２施設ＩＤを受信しないと判断した場合には（Ｓ１１５：ＮＯ）、Ｓ１１０に移行する。
【００７１】
Ｓ１２０では、会員情報ＤＢ５２に記憶された情報に基づいて、受信したタグＩＤが会員のものであるか否かを判断し、受信したタグＩＤが会員のものでない場合には（Ｓ１２０：ＮＯ）、Ｓ１７０に移行して、受信したタグＩＤが会員のものではない旨を、タグＩＤを送信してきた施設の第１管理端末１６または第２管理端末２４に送信する。
【００７２】
一方、受信したタグＩＤが会員のものであると判断した場合には（Ｓ１２０：ＹＥＳ）、Ｓ１２５に移行して、受信した施設ＩＤが第１施設ＩＤであるか、第２施設ＩＤであるかに基づいて、タグＩＤが、第１管理対象施設１０、第２管理対象施設２０の何れから送信されてきたかを判断する。そして、タグＩＤが第１管理対象施設１０から送信されてきたと判断した場合には（Ｓ１２５：ＹＥＳ）、続くＳ１３０にて、受信したタグＩＤにて識別される会員の会員種別がＡであるか否か（つまり、第１管理対象施設１０に通う生徒のであるか否か）を判断する。
【００７３】
ここで、会員種別がＡでなく、生徒ではないと判断した場合には（Ｓ１３０：ＮＯ）、再度Ｓ１１０に移行し、一方、会員種別がＡ、つまり、生徒であると判断した場合には（Ｓ１３０：ＹＥＳ）、Ｓ１３５に移行して、受信したタグＩＤに対応した生徒の出退履歴を、出退情報ＤＢ５６から読み込み、Ｓ１４０にて、前回その生徒の出退履歴を更新してから更新可能時間が経過しているか否かを判断する。
【００７４】
そして、更新可能時間が経過していない（つまり、前回出退情報を更新してからの経過時間が短い）場合には（Ｓ１４０：ＮＯ）、生徒がタグリーダ１２付近にいて、タグリーダ１２が同じタグＩＤを読み取ったものと判断して、再度Ｓ１１０に移行し、逆に、更新可能時間が経過している場合には（Ｓ１４０：ＹＥＳ）、Ｓ１４５に移行して、受信したタグＩＤにて特定される生徒の出退情報のうち、出退フラグ及び出退履歴を更新した後、Ｓ１５０に移行する。
【００７５】
なお、Ｓ１４５の更新処理では、出退フラグが生徒の帰宅状態を表すリセット状態であれば、生徒が登校してきたと判断して、出退フラグをセットすると共に、出退履歴として登校時間を追加し、逆に、出退フラグが生徒の出席状態を表すセット状態であれば、生徒が下校したと判断して、出退フラグをリセットすると共に、出退履歴として下校時間を追加する。
【００７６】
次に、Ｓ１５０では、Ｓ１４５での出退履歴の更新結果に対応した通知情報、つまり、出席通知情報若しくは帰宅通知情報とそれに対する添付情報を通知情報ＤＢ５８から読み込み、続くＳ１５５にて、受信したタグＩＤにて識別される生徒の家族の連絡先を、会員情報ＤＢ５２から読み込む。
【００７７】
そして、続くＳ１６０では、Ｓ１５０で読み込んだ通知情報とＳ１５５にて読み込んだ連絡先とに基づき、その連絡先に対応した送信データ（つまり、メールデータ、ファクシミリデータ、又は音声データ）を生成し、Ｓ１６５では、その生成した送信データを通知用コンピュータ６２に出力することで、受信したタグＩＤにて識別される生徒の登校又は下校を表す通知情報を所定の連絡先に送信させる。なお、この通知情報に、生徒の登校時刻又は下校時刻が含まれるのはいうまでもない。そして、Ｓ１６５にて、送信データを通知用コンピュータ６２に出力した後は、再度Ｓ１１０に移行する。
【００７８】
次に、Ｓ１２５にて、タグＩＤが第１管理対象施設１０から送信されてない、つまり、タグＩＤが第２管理対象施設２０から送信されてきたと判断した場合には（Ｓ１２５：ＹＮＯ）、Ｓ１８０に移行して、後述するサービス処理を実行する。そして、サービス処理が終了すると、Ｓ１８５にて、受信したタグＩＤにて識別される会員の会員種別がＢであるか否か（つまり、第２管理対象施設２０の利用状況を連絡先に通知すべき会員であるか否か）を判断する。
【００７９】
ここで、会員種別がＢでなく、利用状況を通知する必要はないと判断した場合には（Ｓ１８５：ＮＯ）、再度Ｓ１１０に移行し、一方、会員種別がＢ、つまり、利用状況を通知する必要があると判断した場合には（Ｓ１８５：ＹＥＳ）、Ｓ１９０に移行し、Ｓ１９０では、受信した第２施設ＩＤに基づいて、対応する第２管理対象施設２０の利用通知情報を業者情報ＤＢ５４から読み込み、読み出した利用業者情報を、受信したタグＩＤにて識別される会員の名前及びタグＩＤの受信時間に基づいて更新し、Ｓ１９５に移行する。
【００８０】
そしてＳ１９５にて、受信したタグＩＤにて識別される会員の家族の連絡先を、会員情報ＤＢ５２から読み込み、続くＳ２００では、Ｓ１９０で読み込んだ利用通知情報とＳ１９５にて読み込んだ連絡先とに基づき、その連絡先に対応した送信データ（つまり、メールデータ、ファクシミリデータ、又は音声データ）を生成し、Ｓ２０５では、その生成した送信データを通知用コンピュータ６２に出力することで、受信したタグＩＤにより識別される会員の第２管理対象施設２０の利用を表す利用通知情報を所定の連絡先に送信させる。そして、Ｓ２０５にて、送信データを通知用コンピュータ６２に出力した後は、再度Ｓ１１０に移行する。
【００８１】
次に、図５は、管理用コンピュータ６０にて、各第１管理対象施設１０における、無断欠席者、施設閉鎖後の施設からの未退出者を管理するために実行される第１管理施設監視処理を表すフローチャートである。
【００８２】
この第１管理施設監視処理は、本管理システムが稼働している間、管理用コンピュータ６０において、予め設定された時間毎に各第１管理対象施設１０に対して繰り返し実行される処理であり、処理が開始されると、まずＳ３１０にて、現在、第１管理対象施設１０の始業時刻（詳しくは授業開始時刻）が経過しているか否かを判断する。そして、始業時刻が経過している場合には（Ｓ３１０：ＹＥＳ）、Ｓ３１５に移行して、第１管理対象施設１０の門が閉じられる閉鎖時刻が経過しているか否かを判断する。
【００８３】
そして、Ｓ３１５にて、閉鎖時刻は経過していない場合には（Ｓ３１５：ＹＥＳ）、Ｓ３２０に移行して、出退情報ＤＢ５６の出退フラグと欠席確認フラグを検索することにより、欠席の届けがなく、帰宅状態になっている生徒（つまり無断欠席者）はいるか否かを判断する。
【００８４】
そして、Ｓ３２０にて無断欠席者がいると判断した場合には（Ｓ３２０：ＹＥＳ）、Ｓ３２５に移行して、通知情報ＤＢ５８から無断欠席通知情報を読み込み、続くＳ３３０にて、無断欠席者の連絡先を会員情報ＤＢ５２から読み込み、Ｓ３３５に移行する。
【００８５】
次に、Ｓ３３５では、Ｓ３２５にて読み込まれた通知情報とＳ３３０にて読み込まれた連絡先とに基づき、その連絡先に対応した送信データ（つまり、メールデータ、ファクシミリデータ、又は音声データ）を生成し、続くＳ３４０では、その生成した送信データを通知用コンピュータ６２に出力することで、受信したＩＤにて識別される生徒が無断欠席している旨を表す通知情報を、その生徒の保護者等に通知して、Ｓ３８５に移行する。
【００８６】
また、Ｓ３１０にて、始業時刻が経過していないと判断した場合（Ｓ３１０：ＮＯ）、Ｓ３２０にて、無断欠席者はいないと判断した場合には（Ｓ３２０：ＮＯ）、Ｓ３８５に移行する。
【００８７】
次に、Ｓ３１５にて、閉鎖時刻が経過していると判断した場合には（Ｓ３１５：ＹＥＳ）、Ｓ３４５に移行して、各第１管理対象施設１０毎に設けられた閉鎖フラグがセットされているか否かを判断する。なお、閉鎖フラグは、閉鎖後の第１管理対象施設１０の未退出者の情報を通知したときにセットされ（つまり、後述するＳ３８０の処理にてセットされ）、日付が変わると自動的にリセットされるフラグである。
【００８８】
そして、Ｓ３４５にて、閉鎖フラグがセットされている場合、つまり、既に未退出者の検出及び通知が終了している場合には（Ｓ３４５：ＹＥＳ）、Ｓ３８５に移行する。一方、Ｓ３４５にて、閉鎖フラグがセットされていない場合には（Ｓ３４５：ＮＯ）、続くＳ３５０にて、出退情報ＤＢ５６の出退フラグと帰宅確認フラグを検索することにより、帰宅の報告がなく、出席状態になっている生徒（つまり未退出者）がいるか否かを判断する。
【００８９】
そして、Ｓ３５０にて未退出者がいると判断した場合には（Ｓ３５０：ＹＥＳ）、Ｓ３５５に移行して、通知情報ＤＢ５８から無断帰宅通知情報を読み込み、続くＳ３６０にて、未退出者の連絡先を会員情報ＤＢ５２から読み込み、Ｓ３６５にて、未退出者の出退フラグ及び出退履歴を、下校時刻未定として帰宅状態に更新した後、Ｓ３７０に移行する。一方、Ｓ３５０にて、未退出者がいないと判断した場合には（Ｓ３５０：ＮＯ）、Ｓ３８５に移行する。
【００９０】
次に、Ｓ３７０では、上記Ｓ３３５と同様に、Ｓ３５５にて読み込まれた通知情報とＳ３６０にて読み込まれた連絡先とに基づき、その連絡先に対応した送信データ（つまり、メールデータ、ファクシミリデータ、又は音声データ）を生成し、続くＳ３７５では、上記Ｓ３４０と同様に、その生成した送信データを通知用コンピュータ６２に出力することで、受信したタグＩＤにて識別される生徒が無断帰宅した旨を表す通知情報を、その生徒の保護者等に通知する。そして、続くＳ３８０では、閉鎖フラグをセットし、Ｓ３８５に移行する。
【００９１】
そして、Ｓ３８５では、全ての第１管理対象施設１０に対する無断欠席者及び未退出者を管理するための処理を終了したか否かを判断し、全ての第１管理対象施設１０に対する処理が終了した場合には（Ｓ３８５：ＹＥＳ）、当該処理を終了し、一方、全ての第１管理対象施設１０に対する処理が終了していない場合には（Ｓ３８５：ＮＯ）、Ｓ３１０に移行して、引き続き、他の第１管理対象施設１０に対する無断欠席者及び未退出者を管理するための処理を実行する。
【００９２】
次に、利用管理処理のＳ１８０において実行されるサービス処理の手順を、図６を用いて説明する。図６は、管理用コンピュータ６０が実行するサービス処理を表すフローチャートである。
【００９３】
サービス処理が開始されると、まず、Ｓ４０５にて、受信したタグＩＤを読み取ってＳ４１０に移行し、Ｓ４１０では、会員情報ＤＢ５２の受信したタグＩＤの会員の利用業者情報を更新する。つまり、利用業者情報に、受信した第２施設ＩＤが既に登録されている場合には、日数カウンタを０にし、登録されていない場合には、第２施設ＩＤを登録すると共に、この第２施設ＩＤに対応する日数カウンタを０にする。
【００９４】
次に、Ｓ４１５にて、会員情報ＤＢ５２に登録されている受信したタグＩＤにて識別される会員のエリア広告フラグがセットされているか否かを判断する。そして、エリア広告フラグがセットされている場合には（Ｓ４１５：ＹＥＳ）、Ｓ４２０に移行して、読み取った第２施設ＩＤにて識別される第２管理対象施設２０とエリアグループ番号が同じ第２管理対象施設２０のエリア広告を業者情報ＤＢ５４から読み込み、Ｓ４２５に移行する。
【００９５】
そして、Ｓ４２５では、受信したタグＩＤの会員の送信先フラグがセットされているか否かを判断し、送信先フラグがセットされている場合には（Ｓ４２５：ＹＥＳ）、Ｓ４３０に移行して、エリア広告の送信先は、受信したタグＩＤの会員の携帯メールアドレス等の個人広告送信先であると判断して、該当する会員の個人広告送信先を会員情報ＤＢ５２から読み込み、Ｓ４２０にて読み込まれたエリア広告に基づいて、電子メールデータを生成し、Ｓ４４０に移行する。
【００９６】
一方、Ｓ４２５にて、送信先フラグがセットされていないと判断された場合には（Ｓ４２５：ＮＯ）、Ｓ４３５に移行して、エリア広告の送信先は、受信したタグＩＤの会員の家族のパソコンのメールアドレス等のグループ広告送信先であると判断して、該当する会員のグループ広告送信先を会員情報ＤＢ５２から読み込み、Ｓ４２０にて読み込まれたエリア広告に基づいて、電子メールデータを生成し、Ｓ４４０に移行する。
【００９７】
そして、Ｓ４４０では、生成した送信データを通知用コンピュータ６２に出力することで、受信したタグＩＤにて識別される会員が利用した第２管理対象施設２０の周辺にある第２管理対象施設２０の広告を、その会員、または、家族のメンバー等に通知して、Ｓ４４５に移行する。一方、Ｓ４１５にて、エリア広告フラグがセットされていないと判断された場合には（Ｓ４１５：ＮＯ）、エリア広告の送信は要求されていないと判断して、Ｓ４４５に移行する。
【００９８】
次に、Ｓ４４５にて、タグＩＤ、第２施設ＩＤと共に受信した利用ポイントを読み取り、続くＳ４５０では、会員情報ＤＢ５２に登録されている受信したタグＩＤの会員のポイント統合フラグがセットされているか否かを判断し、ポイント統合フラグがセットされている場合には（Ｓ４５０：ＹＥＳ）、Ｓ４５５にて、受信した利用ポイントを、家族のポイントとして、会員情報ＤＢ５２のグループ利用ポイントに登録してＳ４６５に移行し、一方、ポイント統合フラグがセットされていない場合には（Ｓ４５０：ＮＯ）、Ｓ４６０に移行して、受信した利用ポイントを、会員のポイントとして、会員情報ＤＢ５２のメンバー利用ポイントに登録して、Ｓ４６５に移行する。
【００９９】
そしてＳ４６５では、受信した第２施設ＩＤにて識別される第２管理対象施設２０の広告ポイントを業者情報ＤＢ５４に登録し、当該処理を終了する。
次に、第２管理対象施設の広告情報を会員に送信するために実行される広告管理処理について、図７を用いて説明する。図７は、管理用コンピュータ６０において実行される広告管理処理を表すフローチャートである。
【０１００】
この広告管理処理は、会員情報ＤＢ５２に登録されたグループ番号順に、そのグループ毎に設定されたグループ広告送信先に一般広告を送信し、次に、グループ番号順に、グループのメンバーが利用した第２管理対象施設２０を示す利用業者情報を会員情報ＤＢ５２から読み取り、読み取った利用業者情報に基づいて、グループ広告送信先に利用者広告を送信する処理であり、予め設定された時間（例えば、午前１０時等）に、管理用コンピュータ６０において実行される。
【０１０１】
本処理が開始されると、まずＳ５１０にて、会員情報ＤＢ５２に登録された一般広告フラグがセットされているか否かを判断し、一般広告フラグがセットされている場合には（Ｓ５１０：ＹＥＳ）、Ｓ５１５に移行して、業者情報ＤＢ５４に登録されている全ての第２管理対象施設２０の一般広告を読み込んでＳ５２５に移行し、一方、一般広告フラグがセットされていない場合には（Ｓ５１０：ＮＯ）、Ｓ５２０に移行して、この家族のメンバー毎に登録された利用業者情報から第２施設ＩＤを全て読み込み、読み込んだ第２施設ＩＤの一般広告を読み込んでＳ５２５に移行する。
【０１０２】
そして、Ｓ５２５にて、読み込んだ一般広告と、会員情報ＤＢ５２に登録されたグループ広告送信先とに基づいて電子メールデータを生成し、続くＳ５３０にて、生成した電子メールデータを通知用コンピュータ６２に出力することで、第２管理対象施設２０の一般広告を会員に送信し、Ｓ５３５に移行する。また、Ｓ５３５では、会員情報ＤＢ５２に登録された全てのグループ（つまり、全家族）に対して、一般広告を送信したか否かを判断し、全てのグループに送信していないと判断した場合には（Ｓ５３５：ＮＯ）、Ｓ５１０に移行して、続くグループに対して、一般広告を送信する処理を実行する。一方、全てのグループに送信したと判断した場合には（Ｓ５３５：ＹＥＳ）、Ｓ５４０に移行する。
【０１０３】
次に、Ｓ５４０では、会員情報ＤＢ５２において、各家族のメンバー毎に登録された利用業者情報（第２施設ＩＤと日数カウンタ）を読み取り、続くＳ５４５にて、カウンタにて示された日数が、対応する第２管理対象施設２０の情報として業者情報ＤＢ５４に登録されている広告送信日数を経過しているか否かを判断する。そして、カウンタが広告送信日数を経過している場合には（Ｓ５４５：ＹＥＳ）、Ｓ５５０に移行して、この第２管理対象施設２０の利用者広告を読み込み、Ｓ５５５では、日数カウンタをクリアする。
【０１０４】
そして、続くＳ５６０にて、家族のメンバー毎に登録された全ての利用業者情報に対してＳ５４０からＳ５５５の処理を終了したか否かを判断し、全ての利用業者情報に対して処理を実行していないと判断した場合には（Ｓ５６０：ＮＯ）、Ｓ５４０に移行して、次の利用業者情報に対してＳ５４０からＳ５５５の処理を実行する。また、Ｓ５４５にて、広告送信日数を経過していないと判断した場合には（Ｓ５４５：ＮＯ）、Ｓ５６０に移行する。
【０１０５】
そして、Ｓ５６０にて、家族のメンバーに登録された全ての利用業者情報に対して処理を実行したと判断した場合には（Ｓ５６０：ＹＥＳ）、続く、Ｓ５６５では、Ｓ５５０にて読み込んだ全ての利用者広告と、会員情報ＤＢ５２に登録されたグループ広告送信先とに基づいて電子メールデータを生成し、Ｓ５７０にて、Ｓ５６５にて生成されたメールデータを通知用コンピュータ６２に出力することで、第２管理対象施設２０の利用者広告を会員に送信し、Ｓ５７５に移行する。
【０１０６】
Ｓ５７５では、会員情報ＤＢ５２に登録された全ての家族に対して、利用者広告を送信するための処理を実行したか否かを判断し、全ての家族に対して実行していないと判断した場合には（Ｓ５７５：ＮＯ）、Ｓ５４０に移行して、続く家族に対して、利用者広告を送信するための処理を実行する。一方、全ての家族に対して実行したと判断した場合には（Ｓ５７５：ＹＥＳ）、当該処理を終了する。
【０１０７】
次に、図８は、各施設の管理者が、第１管理端末１６または第２管理端末２４を操作することにより、インターネット３を介して、管理用コンピュータ６０にアクセスしてきたときに、管理用コンピュータ６０にて実行される管理情報更新処理を表すフローチャートである。
【０１０８】
この管理情報更新処理は、第１管理端末１６側（換言すれば先生）からの指令を受けて、出退情報ＤＢ５６に登録された生徒毎の出退情報や、通知情報ＤＢに登録された各種通知情報を更新したり、第２管理端末２４側（換言すれば店舗の責任者等）からの指令を受けて、業者情報ＤＢ５４に登録された広告情報等を更新するための処理であり、処理が開始されると、まずＳ６１０にて、今回アクセスしてきた第１管理端末１６または第２管理端末２４に対して、操作者の認証情報（識別情報（ＩＤ）やパスワード等）を要求し、その要求に従い第１管理端末１６または第２管理端末２４側から送信されてきた認証情報から、操作者が予め登録された正規の者であるか否かを判定する認証処理を実行する。
【０１０９】
そして、Ｓ６１５では、その認証処理の結果、操作者を正規のものと認証できたか否かを判断し、認証できない場合には（Ｓ６１５：ＮＯ）、Ｓ６９０にて、今回アクセスしてきた第１管理端末１６または第２管理端末２４に対して接続を拒否する旨を表すメッセージを送信し、当該処理を終了する。
【０１１０】
一方、Ｓ６１５にて、第１管理端末１６または第２管理端末２４の操作者を認証できたと判断した場合には（Ｓ６１５：ＹＥＳ）、Ｓ６２０に移行して、今回アクセスしてきた第１管理端末１６に対しては第１管理メニューを送信し、第２管理端末２４に対しては第２管理メニューを送信する。なお、この第１管理メニューは、出退情報や通知情報の確認、または修正のための各種指令を、第１管理端末１６の表示画面上で操作者（つまり先生）に選択させるためのものである。一方、第２管理メニューは、広告情報の確認または修正のための各種指令を、第２管理端末２４の表示画面上で操作者に選択させるためのものである。
【０１１１】
そして、続くＳ６２５では、Ｓ６２０にて送信した管理メニューに従って、第１管理端末１６または第２管理端末２４から、情報確認の指令が送信されてきたか否かを判断し、情報確認の指令が送信されてきていない場合には（Ｓ６２５：ＮＯ）、Ｓ６４０に移行して、情報修正の指令が送信されてきたか否かを判断し、情報修正の指令が送信されてきていない場合には（Ｓ６４０：ＮＯ）、Ｓ６６５に移行して、出退履歴の更新指令が送信されてきたか否かを判断し、出退履歴の更新指令が送信されてきていない場合には（Ｓ６６５：ＮＯ）、Ｓ６６５に移行して、緊急連絡若しくは個別連絡のための通知指令が送信されてきたか否かを判断し、通知指令が送信されてきていない場合には（Ｓ６６５：ＮＯ）、Ｓ６８５に移行して、通信を遮断するログアウトの指令が送信されてきたか否かを判断し、ログアウトの指令が送信されてきている場合には（Ｓ６８５：ＹＥＳ）、そのまま当該処理を終了し、逆に、ログアウトの指令が送信されてきていない場合には（Ｓ６８５：ＮＯ）、再度Ｓ６２５に移行する、といった手順で、第１管理端末１６または第２管理端末２４側からこれらの指令が送信されてくるのを待機する。
【０１１２】
そして、Ｓ６２５にて、第１管理端末１６または第２管理端末２４から、情報確認の指令が送信されてきたと判断されると、Ｓ６３０に移行して、その要求のあった情報を上記各データベース５２、５４、５６、５８から抽出して、その抽出した情報を一覧表示するための表示画像を生成して、続くＳ６３５にて、第１管理端末１６または第２管理端末２４に送信することにより、第１管理端末１６または第２管理端末２４の表示画面上に操作者が要求した情報の一覧を表示させ、Ｓ６４０に移行する。
【０１１３】
この結果、第１管理端末１６側では、全生徒、学年単位、若しくは、クラス単位で、生徒の出退状況を確認したり、全通知情報、一部の通知情報、若しくは特定の通知情報を表示してメッセージの内容を確認したりすることができる。また、第２管理端末２４側では、登録している一般広告、利用者広告、エリア用広告等の内容を確認することができる。
【０１１４】
また、Ｓ６４０にて、第１管理端末１６または第２管理端末２４から、情報修正の指令が送信されてきたと判断されると、Ｓ６４５にて、第１管理端末１６または第２管理端末２４から指定された修正対象情報を上記各データベース５２、５４、５６、５８から抽出して、その抽出した情報を表示画面上で修正するための情報修正用画像を生成し、続くＳ６５０にて、第１管理端末１６または第２管理端末２４に送信することにより、各端末の表示画面上にその修正用画像を表示させる。
【０１１５】
そして、その後は、Ｓ６５５にて、情報の修正内容と共に第１管理端末１６または第２管理端末２４側から送信されてくる修正指令を受信したか否かを判断することにより、修正指令が送信されてくるのを待ち、Ｓ６６５にて、修正指令を受信したと判断した場合には（Ｓ６５５：ＹＥＳ）、Ｓ６６０に移行して、その指令内容に応じて対応するデータベース５２、５４、５６、５８内の情報を更新し、Ｓ６６５に移行する。
【０１１６】
また次に、Ｓ６６５にて、第１管理端末１６から、緊急連絡若しくは個別連絡のための通知指令が送信されてきたと判断されると、Ｓ６７０に移行して、その通知指令に対応する通知情報及び連絡先を、通知情報ＤＢ５８及び会員情報ＤＢ５２から読み込む。そして、続くＳ６７５では、Ｓ６７０にて読み込んだ通知情報と連絡先とに基づき、その連絡先に対応した送信データ（つまり、メールデータ、ファクシミリデータ、又は音声データ）を生成し、続く６８０にて、その生成した送信データを通知用コンピュータ６２に出力することで、今回第１管理端末１６側から通知指令を受けた通知情報を保護者等に通知し、Ｓ６８５に移行する。
【０１１７】
次に、店舗を利用した会員の利用ポイントの管理センタ５０への登録、管理センタ５０に登録された第２管理対象施設２０の広告情報の確認及び更新を行うために第２管理対象施設２０において実行される第２管理端末処理について、図９を用いて説明する。図９は、第２管理端末２４にて実行される第２管理端末処理を表すフローチャートである。
【０１１８】
第２管理端末処理は、キーボードまたはマウス等を介して、外部から指令が入力されることにより開始され、まずＳ７１０にて、入力された指令が利用ポイントの管理センタ５０への登録指令か否かを判断し、利用ポイントの登録指令である場合には（Ｓ７１０：ＹＥＳ）、Ｓ７１５に移行して、ＩＣタグ２の所有者（つまり、本システムの会員）の利用金額等に基づいて利用ポイントを算出し、続くＳ７２０にて、タグリーダ２２を介して、ＩＣタグ２のタグＩＤを読み込む。
【０１１９】
そして、Ｓ７２５にて、読み込んだタグＩＤと、予め設定された第２施設ＩＤと、算出した利用ポイントとを管理センタ５０の管理用コンピュータ６０に送信し、続くＳ７３０にて、管理用コンピュータ６０から、タグＩＤが会員のものではない旨を示す認証不可情報が送信されてきたか否かを判断し、認証不可情報が送信されてきた場合には（Ｓ７３０：ＹＥＳ）、Ｓ７３５に移行して、ディスプレイに認証不可を示す画面を表示させて、Ｓ７４５に移行する。一方、認証不可情報が送信されてこない場合には（Ｓ７３０：ＮＯ）、Ｓ７４０に移行して、認証完了を示す画面を表示させ、Ｓ７４５に移行する。また、Ｓ７１０にて、入力された指令が利用ポイントの登録指令でない場合には（Ｓ７１０：ＮＯ）、Ｓ７４５に移行する。
【０１２０】
次に、Ｓ７４５では、入力された指令が、管理センタ５０へのアクセス指令か否かを判断し、アクセス指令である場合には（Ｓ７４５：ＹＥＳ）、Ｓ７５０に移行して、管理用コンピュータ６０から送信されるログイン画面を受信するまで待機し、操作者の認証情報（識別情報（ＩＤ）やパスワード等）を要求するログイン画面を受信すると、この画面をディスプレイに表示させる。そして、Ｓ７５５では、マウスまたはキーボードからの入力に基づいて、識別情報やパスワードの入力が完了したか否かを判断し、入力が完了していないと判断した場合には（Ｓ７５５：ＮＯ）この判断を繰り返し実行し、入力が完了したと判断すると（Ｓ７５５：ＹＥＳ）、入力された内容を認証情報として管理用コンピュータ６０に送信し、続くＳ７６５では、管理用コンピュータ６０から接続拒否を受信したか否かを判断し、接続拒否を受信した場合には（Ｓ７６５：ＹＥＳ）、Ｓ７７０に移行して、アクセス不可を示す画面をディスプレイに表示して、当該処理を終了する。
【０１２１】
一方、管理用コンピュータ６０から接続拒否を受信しない場合、つまり、第２管理メニューを受信した場合には（Ｓ７６５：ＮＯ）、Ｓ７７５に移行して、受信した第２管理メニューをディスプレイに表示させ、Ｓ７８０に移行する。
【０１２２】
そして、Ｓ７８０にて、マウスまたはキーボードを介して、第２管理メニュー上で指令が入力されたか否かを判断し、指令が入力された場合には（Ｓ７８０：ＹＥＳ）、入力された指令に応じて、管理用コンピュータ６０に指令を送信して、Ｓ７９０に移行する。つまり、広告情報の確認要求が入力された場合には、情報確認要求を送信し、また、広告情報の修正要求が入力された場合には、情報修正要求を送信する。一方、Ｓ７８０にて指令が入力されない場合には（Ｓ７８０：ＮＯ）、Ｓ７９０に移行する。
【０１２３】
Ｓ７９０では、管理用コンピュータ６０から画像を受信したか否かを判断し、画像を受信した場合には（Ｓ７９０：ＹＥＳ）、受信した画像をディスプレイに表示させて、Ｓ８００に移行し、一方、画像を受信しない場合には（Ｓ７９０：ＮＯ）、Ｓ８００に移行する。つまり、例えば、広告情報の一覧表示画像を受信した場合には、この画像を表示させ、広告情報の修正用画像を受信した場合には、この画像を表示させる。
【０１２４】
そして、Ｓ８００にて、マウスまたはキーボードを介して、広告情報の修正の終了を示す指令が入力されたか否かを判断し、終了指令が入力された場合には（Ｓ８００：ＹＥＳ）、Ｓ８０５に移行して、情報修正指令を管理用コンピュータ６０に送信してＳ８１０に移行する。一方、終了指令が入力されない場合には（Ｓ８００：ＮＯ）、Ｓ８１０に移行する。
【０１２５】
またＳ８１０では、管理センタ５０へのアクセスを終了する指令が入力されたか否かを判断し、アクセスを終了する指令が入力されない場合には（Ｓ８１０：ＮＯ）、Ｓ７８０に移行して、Ｓ７８０からの処理を繰り返し実行し、一方、アクセスを終了する指令が入力された場合には（Ｓ８１０：ＹＥＳ）、ログアウト要求を管理用コンピュータ６０に送信し、当該処理を終了する。
【０１２６】
以上説明したように、本実施形態の管理システムにおいては、家族のメンバーのうち、会員種別がＡの家族メンバー（例えば、子供）が、第１管理対象施設１０（例えば、学校等）へ登校、または、第１管理対象施設１０から下校する際に、その旨が連絡先（例えば、保護者や配偶者等の電話番号やメールアドレス）に自動で通知され、連絡先に居る保護者は、子供の所在や行動を確認することができる。
【０１２７】
一方、第２管理対象施設２０の広告情報（例えば、スーパー、美容院、レストラン等の施設の場所、詳細、及び、イベント情報）が、グループ広告送信先（例えば、家のパソコンのアドレス）に送信される。そして、家族メンバー（例えば、保護者）が第２管理対象施設２０を利用した場合には、本システムの会員であることが第２管理対象施設２０の第２管理端末に通知されるので、第２管理対象施設２０の管理者はこの旨を確認することができ、例えば、この家族メンバーに割引等の特典を与えることが可能である。
【０１２８】
よって、本実施形態の管理システムによれば、学校等の第１管理対象施設１０に通う家族メンバー（例えば、子供）の施設への出退状況を家族メンバー（例えば、保護者）が把握することができ、一方、第２管理対象施設２０の広告情報を家族メンバー（例えば、保護者）に通知することにより、第２管理対象施設２０から広告料を取得することができるので、会員の費用負担を低減することが可能となる。また、家族メンバーは、第２管理対象施設２０を利用した際に、その施設にて特典を受けられることにより第２管理対象施設２０の広告情報が単に無駄な情報ではなくなるので、不快感を受けることなく、本システムを利用することができる。
【０１２９】
また、本実施形態の管理システムにおいては、予め設定された会員種別により、会員種別がＡまたはＢの会員が第２管理対象施設２０を利用した場合に、その旨がグループ毎に設定された連絡先に自動で通知される。このため、連絡先に居る保護者や配偶者等は、家族のメンバーのうち、会員種別がＡまたはＢのメンバーの所在を、通知されてきた利用状況により確認することができる。
【０１３０】
一方、本実施形態の管理システムにおいては、会員が第２管理対象施設２０を利用した場合に、例えば、利用金額等に応じてメンバー利用ポイントが加算されるので、このシステムの管理者は会員の第２管理対象施設２０の利用頻度を把握することができる。そして、例えば、会員のメンバー利用ポイントに応じて、プレゼントを提供したり、割引したりすることにより、会員に対して第２管理対象施設２０の利用を促すことができる。
【０１３１】
また、利用ポイント統合フラグをセットしておくことにより、利用ポイントをグループ利用ポイント、つまり、家族のポイントとして登録することもできるので、家族毎の第２管理対象施設２０の利用頻度を容易に把握することができる。そして、例えば、家族の利用ポイントに応じて、その家族に対する本システムの利用料金を割引したりすることも可能である。
【０１３２】
一方、第２管理対象施設２０の数が多い場合には、全ての第２管理対象施設２０の広告情報が送信されてしまうと、連絡先に設定されている保護者等は多大な情報を受信しなければならず、都合が悪いが、本実施形態の管理システムにおいては、一般広告フラグをセットすることにより、全ての第２管理対象施設２０の一般広告が送信され、リセットすることにより、家族メンバーが利用したことのある第２管理対象施設２０の一般広告のみが送信されるので、保護者等は不必要と思われる情報を受け取る必要がないので、好都合である。
【０１３３】
そして、第２管理対象施設２０の管理者は、広告送信日数を設定しておくことにより、会員が施設を利用してから経過した日数、または、前回利用者広告を送信してから経過した日数が広告送信日数を超えた場合に、利用者広告（例えば、美容院であれば、３０日毎にカットする時期であることを通知する等）が自動で会員に送信されるので、便利である。
【０１３４】
また、本実施形態の管理システムにおいては、家族メンバー（例えば、子供）が第２管理対象施設２０を利用すると、この家族メンバーが利用した地域にある他の第２管理対象施設２０のエリア広告がグループ広告送信先（例えば家のパソコンの電子メールアドレス）に送信されるので、家にいる家族の一員（例えば、母親）がその施設のエリア広告を確認することができ、その広告に基づいて、母親は子供に買物を頼むこともできる。また、送信先フラグをセットしておけば、第２管理対象施設２０を利用した家族メンバー個人に設定された個人広告送信先（例えば、携帯電話の電子メールアドレス）にエリア広告が送信されるので、自分が居る周辺の店舗の広告を受信することができ、非常に便利である。
【０１３５】
また、本実施形態の管理システムにおいては、第２管理対象施設２０の管理者は、第２管理端末２４から、インターネット３を介して、容易に会員に通知するための広告情報を書き換えることができるので便利である。
【０１３６】
そして、会員により第２管理対象施設２０が利用されると、第２管理対象施設２０の広告ポイントが登録されるので、システムの管理者は、この広告ポイントにより、第２管理対象施設２０の会員による利用頻度を把握することができる。そこで、例えば、この広告ポイントに応じて第２管理対象施設２０から広告料をもらうようなことも可能である。
【０１３７】
なお、本実施形態において、タグリーダ１２が本発明の第１タグリーダに相当し、タグリーダ２２が本発明の第２タグリーダに相当し、会員情報ＤＢ５２が本発明の利用状況記憶手段及び利用ポイント記憶手段に相当し、業者情報ＤＢ５４が本発明の施設情報記憶手段及び広告ポイント記憶手段に相当し、グループ広告送信先が本発明の情報送信先に相当し、広告情報（一般広告、利用者広告、エリア広告）が本発明の施設情報に相当する。
【０１３８】
また、本実施形態において、Ｓ１１０〜Ｓ１４５の処理が本発明の出退履歴登録手段に相当し、Ｓ１５０〜Ｓ１６５の処理が本発明の出退状況通知手段に相当し、Ｓ１１０〜Ｓ１２５、Ｓ１７０、Ｓ４１０、Ｓ４４５、Ｓ４５５、Ｓ４６０の処理が本発明の利用履歴登録手段に相当し、広告管理処理が本発明の施設情報送信手段に相当し、Ｓ１８５〜Ｓ２０５の処理が本発明の利用状況通知手段に相当し、利用ポイント統合フラグ及びＳ４５０の処理がポイント統合手段に相当し、Ｓ４１５からＳ４４０の処理が本発明の周辺情報送信手段に相当し、Ｓ６４０からＳ６６０の処理が本発明の情報更新手段に相当し、Ｓ４６５の処理が本発明の広告ポイント登録手段に相当する。
［第２実施形態］
ところで、第１実施形態の管理システムにおいては、会員が、スーパー、レストラン等の第２管理対象施設２０を利用した場合に、タグリーダ２２にＩＣタグをかざすことにより、会員であることが確認されるため、会員は、利用した店から特典を受けたり、割引をしてもらうことが可能となり、会員に第２管理対象施設２０の利用を促進することができるが、より多くの会員に来店を促すためには、家族そろって来店してもらうようにすることが好ましい。そこで、同じグループに属する会員、つまり、家族のメンバーが一緒に来店した場合に、特別な特典や割引サービスを提供できるように、家族のメンバーであることを第２管理対象施設２０側で確認できるようにするとよい。
【０１３９】
そして、このためには、図４に示した施設利用管理処理において、第２管理対象施設２０からタグＩＤが送信されてきたと判断した場合に、図１０に示すように、Ｓ９１０からＳ９４０の処理を実行し、その後、Ｓ１８０のサービス処理を実行するようし、一方、図９に示した第２管理端末処理を、図１１に示すように実行すればよい。
【０１４０】
以下、各処理について、図１０及び図１１を用いて説明する。図１０は、第２実施形態の利用施設管理処理を表すフローチャートであり、図１１は、第２実施形態の第２管理端末処理を表すフローチャートである。
【０１４１】
図１０に示すように、Ｓ１２５にて、受信した施設ＩＤが第２施設ＩＤである、つまり、タグＩＤが、第２管理対象施設２０から送信されてきたと判断した場合には（Ｓ１２５：ＮＯ）、Ｓ９１０に移行して、タグＩＤが２つ受信されているか否かを判断する。そして、タグＩＤが２つ受信された場合には（Ｓ９１０：ＹＥＳ）、Ｓ９２０へ移行して、会員情報ＤＢ５２に登録された情報に基づいて、受信した２つのタグＩＤが同じグループ、つまり、家族メンバーのものであるか否かを判断する。ここで、２つのタグＩＤが同じグループに属している場合には（Ｓ９３０：ＹＥＳ）、グループが一致している旨を示す情報を第２管理端末２４に送信し、続くＳ９４０にて、登録番号の早い方のタグＩＤを選択し、Ｓ１８０に移行する。なお、Ｓ１８０のサービス処理においては、Ｓ９４０にて選択されたタグＩＤに関してサービス処理を行う。
【０１４２】
一方、Ｓ９１０にて、タグＩＤが２つ受信されていない場合には（Ｓ９１０：ＮＯ）、タグＩＤは１つであるので、Ｓ１８０に移行して、Ｓ１８０のサービス処理を、受信したタグＩＤに関して行う。
【０１４３】
また、Ｓ９２０にて、タグＩＤが同じグループに属さない場合（Ｓ９２０：ＮＯ）には、グループの異なるタグＩＤが２つ受信されているので、各タグＩＤに関して、Ｓ１８０からＳ２０５の処理を実行する。
【０１４４】
次に、第２管理端末処理は、キーボードまたはマウス等を介して、外部から指令が入力されることにより開始され、図１１に示すように、まずＳ１１１０にて、入力された指令が利用ポイントの管理センタ５０への登録指令か否かを判断し、入力された指令が利用ポイントの登録指令でない場合には（Ｓ１１１０：ＮＯ）、図９のＳ７４５に移行する。
【０１４５】
一方、利用ポイントの登録指令である場合には（Ｓ１１１０：ＹＥＳ）、Ｓ１１１５に移行して、ＩＣタグ２の所有者（つまり、本システムの会員）の利用金額等に基づいて利用ポイントを算出し、続くＳ１１２０にて、タグリーダ２２を介して、ＩＣタグ２のタグＩＤを読み込み、Ｓ１１２５に移行する。そして、Ｓ１１２５にて、他のタグＩＤが読み取られたか否かを判断し、タグＩＤが読み取られた場合には（Ｓ１１２５：ＹＥＳ）、Ｓ１１３５に移行する。
【０１４６】
一方、タグＩＤが読み取られない場合には（Ｓ１１２５：ＮＯ）、Ｓ１１３０に移行して、Ｓ１１３０では、予め設定された一定時間を経過したか否かを判断し、一定時間が経過していない場合は（Ｓ１１３０：ＮＯ）、Ｓ１１２０に移行して、一定時間が経過するまでＳ１１２０、Ｓ１１３０の処理を繰り返し実行する。そして、一定時間が経過した場合には（Ｓ１１３０：ＹＥＳ）、タグＩＤは１つであるとして、Ｓ１１３５に移行する。
【０１４７】
そして、Ｓ１１３５では、読み込んだタグＩＤ（１つまたは２つのタグＩＤ）と、予め設定された第２施設ＩＤと、算出した利用ポイントとを管理センタ５０の管理用コンピュータ６０に送信し、続くＳ１１４０にて、管理用コンピュータ６０から、タグＩＤが会員のものではない旨を示す認証不可情報が送信されてきたか否かを判断し、認証不可情報が送信されてきた場合には（Ｓ１１４０：ＹＥＳ）、Ｓ１１６０に移行して、ディスプレイに認証不可を示す画面を表示させて、Ｓ７４５に移行する。
【０１４８】
一方、認証不可情報が送信されてこない場合には（Ｓ１１４０：ＮＯ）、Ｓ１１４５に移行して、グループが一致している旨を示す情報を受信したか否かを判断し、グループ一致情報を受信した場合には（Ｓ１１４５：ＹＥＳ）、Ｓ１１５０に移行して、グループが一致したことを示す画面を表示させ、Ｓ７４５に移行する。また、グループ一致情報が受信されない場合には（Ｓ１１４５：ＮＯ），Ｓ１１５５に移行して、グループが一致しないことを示す画面を表示させ、Ｓ７４５に移行する。
【０１４９】
このように構成された第２実施形態の管理システムにおいては、第２管理対象施設２０のタグリーダ２２により一定時間内に読み取られた複数のタグＩＤに、同じグループのＩＤがあるか否かを、管理用コンピュータ６０において判断し、判断結果を、第２管理端末２４に送信する。一方、第２管理端末２４は、管理用コンピュータ６０から受信した情報に基づいて、読み込んだＩＣタグのグループが一致したか否かを示す画面をディスプレイに表示する。
【０１５０】
よって、第２実施形態の管理システムによれば、第２管理対象施設２０を、同じグループ（例えば、家族）のＩＣタグ２を所持する会員（例えば、保護者、兄弟）が利用した場合に、同じグループの会員であることが、第２管理端末２４のディスプレイに表示されるので、第２管理対象施設２０の管理者は、家族で第２管理対象施設２０を利用した会員に、特別な割引をしたり特典を提供したりすることができる。
【０１５１】
なお、第２実施形態において、Ｓ９１０、Ｓ９２０の処理及びＳ１１２０〜Ｓ１１３０の処理が、本発明の第２ＩＤ判断手段に相当し、Ｓ１２０、Ｓ１２５、Ｓ１７０、Ｓ４００、Ｓ９３０の処理が本発明の利用履歴登録手段に相当する。
［第３実施形態］
また次に、第１管理対象者である生徒が、常時、保護者によって学校まで送り迎えされている場合には、生徒が１人で学校に登校したり、１人で学校から帰宅しようとすることは異常な状況であり、生徒に問題が発生している可能性がある。このため、生徒が１人で学校の出入口を通過した場合に、この状況を先生等に知らせることができるようにすることが好ましい。
【０１５２】
そこで、管理用コンピュータ６０にて実行される施設利用管理処理を、図１２（ａ）のように、Ｓ１２５の処理に続いて、図１２（ｂ）に示すタグ認証処理を行うようにし、一方、第１管理端末１６は、管理用コンピュータ６０から送信された情報に基づいて、ディスプレイに警告を表示するように構成すればよい。
【０１５３】
以下、第３実施形態の利用施設管理処理及びタグ認証処理について、図１２を用いて説明する。図１２（ａ）は、第３実施形態の利用施設管理処理を表すフローチャートであり、図１２（ｂ）は、第３実施形態のタグ認証処理を表すフローチャートである。
【０１５４】
第３実施形態の利用施設管理処理においては、図１２（ａ）に示すように、第１実施形態の利用施設管理処理と同様にＳ１１０からＳ１２５の処理を実行し、Ｓ１２５にて、受信した施設ＩＤが第１施設ＩＤであると判断した場合には（Ｓ１２５：ＹＥＳ）、Ｓ１２００のタグ認証処理を実行する。そして、Ｓ１２００のタグ認証処理を終了すると、Ｓ１３５に移行して、図４のＳ１３５からの処理を実行する。
【０１５５】
Ｓ１２００のタグ認証処理は、処理が開始されると、Ｓ１２１０にて、他のタグＩＤが読み取られたか否かを判断し、タグＩＤが読み取られた場合には（Ｓ１２１０：ＹＥＳ）、Ｓ１２１５に移行して、会員情報ＤＢ５２に登録された情報に基づいて、連続して読み込んだ２つのタグＩＤが同じグループ、つまり、家族メンバーのものであるか否かを判断する。ここで、２つのタグＩＤが同じグループに属している場合には（Ｓ１２１５：ＹＥＳ）、グループが一致している旨を示す情報を第１管理端末１６に送信し、当該処理を終了する。また、２つのタグＩＤのグループが一致しない場合には、グループが一致していない旨を示す情報を第１管理端末１６に送信し、Ｓ１２４０に移行する。
【０１５６】
そして、Ｓ１２４０では、受信したタグＩＤに会員種別がＡのものがあるか否かを判断し、会員種別ＡのタグＩＤがある場合には（Ｓ１２４０：ＹＥＳ）、当該処理を終了する。一方、会員種別ＡのタグＩＤが無い場合には（Ｓ１２４０：ＮＯ）、Ｓ１１０に移行する。つまり、会員種別ＡのタグＩＤが無い場合は、出退履歴の更新等の処理を行う対象がないので、Ｓ１１０に移行して、新たなタグＩＤが受信されるまで待機する。
【０１５７】
また、Ｓ１２１０にて、タグＩＤが読み取られない場合には（Ｓ１２１０：ＮＯ）、Ｓ１２２５に移行して、Ｓ１２２５では、予め設定された一定時間を経過したか否かを判断し、一定時間が経過していない場合は（Ｓ１２２５：ＮＯ）、Ｓ１２１０に移行して、一定時間が経過するまでＳ１２１０、Ｓ１２２５の処理を繰り返し実行する。そして、一定時間が経過した場合には（Ｓ１２２５：ＹＥＳ）、タグＩＤは１つであるとして、Ｓ１２３０に移行し、グループが一致するＩＣタグは検出されない旨を第１管理端末１６に送信し、Ｓ１２４０に移行する。
【０１５８】
また、第１管理端末１６は、管理用コンピュータ６０からグループが一致しない旨を示す情報、または、グループが一致するＩＣタグが検出されない旨を示す情報を受信した場合には、ディスプレイに、会員（例えば、生徒）が１人で入退出したことを示す警告メッセージを表示する（本発明の報知手段に相当する）。
【０１５９】
このように第３実施形態の管理システムにおいては、管理用コンピュータ６０が、予め設定された一定時間内に、タグリーダ１２により読み取られた複数のＩＤに、同じグループのＩＤがあるか否かを判断し、同じグループのＩＤがない場合には、第１管理端末１６にその旨を示す情報を送信する。また、第１管理端末１６側では、受信した情報に基づいて、ディスプレイに警告メッセージを表示する。
【０１６０】
よって、第１管理対象者（例えば、子供）が一人で学校の出入口を通過した場合にはディスプレイに警告メッセージが表示され、同じグループのＩＣタグを所持する会員（例えば、保護者、兄弟）と一緒に出入口を通過した場合には警告メッセージは表示されない。このため、例えば、常時、保護者等が子供を送り迎えするような学校、塾等の第１管理対象施設において、子供が１人で出入口を通過した場合に、警告メッセージにより周囲にいる先生等にその状況を知らせることができる。
【０１６１】
なお、第３実施形態において、Ｓ１２１０、Ｓ１２１５、Ｓ１２２５の処理が、本発明の第１ＩＤ判断手段に相当する。
［第４実施形態］
ところで、上記各実施形態の管理システムにおいて、家のパソコンの電子メールアドレスを子供の第１管理対象施設１０への出退状況を通知するための連絡先に設定している場合に、家族メンバーの状況を把握したい家族メンバー（例えば、母等）が、外出先で、子供の第１管理対象施設１０への出退状況を確認したいような場合があるが、この場合には、既に家のパソコンの電子メールアドレスに出退状況が通知されてしまっているために、第１管理対象施設１０に直接問い合わせなければ、子供の出退状況を把握することはできなかった。
【０１６２】
そこで、図１３（ａ）に示すように構成された携帯情報端末７０を用いて、管理センタ５０に第１管理対象施設１０への子供の出退状況を要求し、この携帯情報端末７０に、要求した出退状況が通知されるようにすればよい。
【０１６３】
なお、図１３（ａ）に示す携帯情報端末７０は、ＩＣタグ２のタグＩＤを読み取り可能なタグリーダ７２と、液晶ディスプレイ（ＬＣＤ）等からなる表示部７４と、キーボード、ボタン等からなる操作部７６と、インターネット３と接続するための通信部７８と、書き換え可能な不揮発性メモリからなり、当該携帯情報端末７０の識別情報、端末連絡先（当該携帯情報端末７０の電子メールアドレス）、及び、管理センタ５０の情報が記憶された記憶部８０と、ＣＰＵ、ＲＡＭ、ＲＯＭ等からなるマイコン等により構成される制御部８２と、から構成されている。
【０１６４】
そして、このように、携帯情報端末７０からの要求に従い子供の出退状況を通知するようにするには、携帯情報端末７０の制御部８２にて図１３（ｂ）に示す情報要求処理を実行し、管理用コンピュータ６０にて図１３（ｃ）に示す施設利用管理処理を実行するようにすればよい。以下、これら各処理について説明する。
【０１６５】
まず、図１３（ｂ）に示す情報要求処理は、操作部７６を介して、外部から情報要求指令が入力されると開始される処理であり、処理が開始されると、まず、Ｓ１４１０にて、タグリーダ７２を介して、ＩＣタグ２のタグＩＤを読み取る。そして、続く、Ｓ１４２０にて、記憶部８０に記憶された、携帯情報端末７０の識別情報（本実施形態では、受信端末ＩＤ）と、端末連絡先と、Ｓ１４１０にて読み取ったタグＩＤと、を管理センタ５０の管理用コンピュータ６０に送信して当該処理を終了する。
【０１６６】
次に、図１３（ｃ）に示す施設利用管理処理では、処理が開始されると、まず、Ｓ１４５０にて、ＩＣタグ２のタグＩＤを受信したか否かを判断し、タグＩＤを受信していない場合には（Ｓ１４５０：ＮＯ）、図４のＳ１１０に移行する。一方、タグＩＤを受信した場合には（Ｓ１４５０：ＹＥＳ）、続くＳ１４６０では、携帯情報端末７０の識別情報である受信端末ＩＤを受信したか否かを判断し、受信端末ＩＤを受信していない場合には（Ｓ１４６０：ＮＯ）、図４のＳ１１５に移行する。  また、Ｓ１４６０にて、受信端末ＩＤを受信した場合には（Ｓ１４６０：ＹＥＳ）、続くＳ１４７０にて、出退フラグ及び出退履歴に対応した通知情報、つまり、出席通知情報若しくは帰宅通知情報とそれに対する添付情報を通知情報ＤＢ５８から読み込み、続くＳ１４８０にて、受信した端末連絡先に対応した電子メールデータを生成し、図４のＳ１６５に移行する。
【０１６７】
そして、このように構成された第４実施形態の管理システムにおいては、インターネット３を介して、携帯情報端末７０からタグＩＤと、携帯情報端末７０の識別情報である受信端末ＩＤと、を受信すると、管理用コンピュータ６０が、このタグＩＤに対応する会員が属するグループ（例えば、家族）の第１管理対象者（例えば、子供）の出退状況を出退情報ＤＢ５６から読み取り、このグループの連絡先に通知する。一方、携帯情報端末７０において、操作部７６を介して外部からの指令が入力されると、タグリーダ７２がＩＣタグ２からタグＩＤを読み取り、タグリーダ７２にて読み取られたタグＩＤと、受信端末ＩＤと、をインターネット３を介して、管理用コンピュータ６０に送信する。
【０１６８】
よって、保護者が、携帯情報端末７０に自分のＩＣタグ２をかざすことにより、子供のその時点での出退状況が、端末連絡先（携帯情報端末７０の電子メールアドレス）に送信されてくるので、第１管理対象施設１０に直接問い合わせることなく、外出先においても、子供の出退状況を把握することはできる。
【０１６９】
なお、本実施形態においては、出退状況の連絡先として、携帯情報端末７０の端末連絡先（携帯情報端末７０の電子メールアドレス）を管理用コンピュータ６０に送信するようにしたが、グループ毎に設定される連絡先として、当該携帯情報端末７０の電子メールアドレスを設定しておき、会員情報ＤＢ５２に登録されたグループ毎に設定された連絡先に対応した電子メールデータを生成し、この連絡先に通知するようにしてもよい。この場合には、携帯情報端末７０からは、ＩＣタグ２から読み取ったタグＩＤと、携帯情報端末７０の受信端末ＩＤのみが管理用コンピュータ６０に送信され、管理用コンピュータ６０は、Ｓ１４７０の処理の次に、図４に示す、Ｓ１５５に移行すればよい。
【０１７０】
そして、このようにすれば、保護者が、携帯情報端末７０に自分のＩＣタグ２をかざすことにより、子供のその時点での出退状況が予めグループ毎に設定された連絡先に送信されてくるので、保護者は面倒な操作をすることなく容易に子供の状況を把握することができる。
【０１７１】
なお、第４実施形態において、受信端末ＩＤが出退状況の要求指令に相当し、Ｓ１４５０〜Ｓ１４７０及びＳ１５５の処理が、本発明のグループ状況通知手段に相当する。
ところで、第４実施形態においては、図１３（ａ）に示されるブロック図の構成を備えた装置を携帯情報端末７０としたが、このように構成された装置は必ずしも携帯可能である必要はなく、タグリーダを備えたパソコンであってもよい。そして、このようなパソコンにＩＣタグ２をかざすことによっても、保護者は面倒な操作をすることなく容易に子供の状況を把握することができる。
【０１７２】
以上、本発明の実施形態について説明したが、本発明は、上記実施形態に限定されるものではなく、本発明の技術範囲内にて種々の態様を採ることができる。
例えば、上記各実施形態においては、管理グループを家族として説明したが、管理グループは家族に限定されることはなく、友達やサークル等、複数人からなる団体が考えられる。
【０１７３】
また、上記各実施形態においては、各家族メンバー、つまり、各会員が各１つのＩＣタグ２を所持しているものとして説明したが、各会員がＩＣタグを複数所持するようにしてもよい。特に、会員種別Ａ（つまり、第１管理対象施設１０の出退状況を通知される）の会員としては、ＩＣタグを十分に管理できない子供が想定される。そこで、ＩＣタグを子供の所持品（例えば、鞄、靴、帽子等）に複数取り付けておくようにしてもよい。そして、この場合には、図２（ａ）に示す会員情報において、各登録番号毎に登録されたメンバー情報に複数のタグＩＤを登録できるようにし、一方、タグＩＤを認証する際には、複数のタグＩＤの何れかが読み取られた場合に、その登録番号の会員であると認証するようにすればよい。
【０１７４】
ところで、子供は、学校等で、他の生徒と同じ鞄、靴、教科書等を使用する。ところが、これらのものは、一見しただけでは、誰の所持品であるかを識別できないこともあり、取り違えてしまうことがあった。
【０１７５】
そこで、各生徒毎に、同じグループ（予めＩＣタグのＩＤにより同じグループのＩＣタグであることをリスト等で管理）に属する複数のＩＣタグを提供し、そのうちの１つのタグを例えば名札等に取り付けることにより、常に生徒が身に付けさせ、その他のＩＣタグを、他の所持品に取り付けさせるようにし、一方、所持品を収納するロッカー等にはタグリーダを設置し、同じグループのＩＣタグのＩＤが２つ検出された場合は、警告を発せず、１つしか検出できない場合には、警告を発生するように構成すればよい。
【０１７６】
このようにすると、生徒が、所持品をロッカーから取り出す際に、身に付けているＩＣタグと、取り出そうとしている物のＩＣタグが同じグループであれば、それは、その生徒の所持品であり、この場合には警告が発生されない。一方、取り出そうとしている物のＩＣタグが他のグループのものであれば、警告が発生されるので、生徒は、自分の所持品でないことに気づくことができる。よって、このようにすれば、所持品を取り違えることを防止できる。
【０１７７】
また、例えば、タグリーダが内蔵された携帯電話等に、自分の所持品に取り付けたＩＣタグのタグＩＤを登録しておき、タグリーダが読み取ったタグＩＤと、登録されたタグＩＤが一致するか否かを判断できるように構成しておけば、単に携帯電話を所持品にかざすだけで、それが自分の所持品であるか否かを識別することができる。
【０１７８】
一方、会員種別がＡである子供がＩＣタグを紛失してしまったような場合に、他の家族メンバーのＩＣタグを借りても、第１管理対象施設１０において出退状況が管理できるようにしてもよい。この場合には、会員情報ＤＢ５２に、各会員毎に登録されたＩＣタグのタグＩＤを、例えばインターネットを介して外部情報端末から書き換え可能に構成し、ＩＣタグを紛失した家族メンバーのタグＩＤを、急遽借りることになった家族メンバーのタグＩＤに容易に書き換えられるようにすればよい。そして、このようにした場合には、生徒が学校に到着するまでにタグＩＤを書き換えておけば、通常通り、出退状況が通知される。
【０１７９】
また、例えば、上記各実施形態の管理システムにおいて、第２管理対象施設２０から情報送信先に送信する一般広告は、第２管理対象施設２０によっては、平日に送信する一般広告と、休日に送信する一般広告の内容を変更したい場合がある。このような場合には、業者情報ＤＢ５４に、各第２管理対象施設毎に、平日に送信する第１一般広告と休日に送信する第２一般広告とを登録しておき、平日には平日用を選択して送信し、休日には休日用を選択して送信すればよい。
【０１８０】
ところが、第１管理対象施設１０の周辺にある第２管理対象施設２０においては、学校、塾等の開校日と休校日とで、周辺を通行する会員の数や時間等が異なるために、カレンダー通りの休日、平日ではなく、第１管理対象施設１０の開校日、休校日で一般広告の内容を変更したい場合がある。そこで、各第１管理対象施設１０から送信され、管理用コンピュータ６０にて受信したタグＩＤの数が、予め設定されたしきい値より大きいか否かにより、その第１管理対象施設１０が開校日であるか休校日であるかを判断し、判断結果に基づいて第１一般広告、または、第２一般広告の何れかを送信するようにしてもよい。
【０１８１】
そして、例えば、第１管理対象施設１０が１つである場合には、管理用コンピュータ６０にて生成された送信データの数、または、通知用コンピュータ６２から送信される送信データの数が予め設定されたしきい値より大きいか否かにより、その第１管理対象施設１０が開校日であるか休校日であるかを判断するようにしてもよい。
【０１８２】
また、上記各実施形態においては、第２タグリーダ２２及び第２管理端末２４を、レジ機能を有するパソコンにて構成し、第２管理対象施設２０に設置したが、第２タグリーダ２２及び第２管理端末２４を、タグリーダを内蔵する情報端末（例えば、携帯電話）にて構成し、家の各場所（台所、ガレージ、玄関等）に置いておいてもよい。そして、このようにすると、例えば、遠方にいる家族（祖父母、子供）の家に、このような携帯電話を置いておき、各家族のメンバーがＩＣタグを所持するようにすれば、例えば、祖父母が玄関に置いた携帯電話にＩＣタグをかざすことにより、利用状況が通知されるので、遠方にいながらにして、家族のメンバーの状況を把握することができる。また、連絡先として、かかりつけの病院の電話番号等も登録しておき、この携帯電話の識別情報となる第２施設ＩＤ毎に業者情報ＤＢ５４に登録される利用通知情報に、緊急連絡の内容を登録しておけば、単にＩＣタグを携帯電話にかざすことにより、病院に電話連絡されるので、本システムを緊急連絡用にも利用できる。
【０１８３】
また、上記実施形態においては、連絡先と、広告情報の送信先を別々に設定できるように構成したが、例えば、同じメールアドレスを設定してもよい。また、連絡先及び広告情報の送信先は、各会員毎に設定できるように構成してもよい。そして、上記各実施形態においては、出退状況及び利用状況の通知と、広告情報の送信を別々に行ったが、出退状況及び利用状況を通知する際に、第２管理対象施設の広告情報を付加して、同時に通知するようにしてもよい。
【図面の簡単な説明】
【０１８４】
【図１】第１実施形態の管理システム全体の構成を表す概略構成図である。
【図２】データベースに登録された会員情報、会員種別を説明する説明図である。
【図３】データベースに登録された業者情報、出退情報、通知情報を説明する説明図である。
【図４】第１実施形態の管理用コンピュータにて実行される施設利用管理処理を表すフローチャートである。
【図５】管理用コンピュータにて実行される第１管理施設監視処理を表すフローチャートである。
【図６】管理用コンピュータにて実行されるサービス処理を表すフローチャートである。
【図７】管理用コンピュータにて実行される広告管理処理を表すフローチャートである。
【図８】管理用コンピュータにて実行される管理情報更新処理を表すフローチャートである。
【図９】第１実施形態の第２管理端末２４にて実行される第２管理端末処理を表すフローチャートである。
【図１０】第２実施形態の管理用コンピュータにて実行される施設利用管理処理を表すフローチャートである。
【図１１】第２実施形態の第２管理端末２４にて実行される第２管理端末処理を表すフローチャートである。
【図１２】第３実施形態の管理用コンピュータにて実行される施設利用管理処理を表すフローチャートである。
【図１３】第４実施形態の携帯情報端末の構成を表すブロック図、携帯情報端末にて実行される情報要求処理を表すフローチャート、及び、管理用コンピュータにて実行される施設利用管理処理を表すフローチャートである。
【符号の説明】
【０１８５】
２…ＩＣタグ、３…インターネット、６ａ…携帯電話、６ｂ…携帯情報端末、６ｃ…インターネット端末、８ａ…ファクシミリ装置、８ｂ…電話装置、１０…第１管理対象施設、１２…タグリーダ、１４…通信端末、１６…第１管理端末、２０…第２管理対象施設、２２…タグリーダ、２４…第２管理端末、５０…管理センタ、５２…会員情報ＤＢ、５４…業者情報ＤＢ、５６…出退情報ＤＢ、５８…通知情報ＤＢ、６０…管理用コンピュータ、６２…通知用コンピュータ、６４…モデム、７０…携帯情報端末、７２…タグリーダ、７４…表示部、７６…操作部、７８…通信部、８０…記憶部、８２…制御部
【図１】
2007193673.tif 000003
【図２】
2007193673.tif 000004
【図３】
2007193673.tif 000005
【図４】
2007193673.tif 000006
【図５】
2007193673.tif 000007
【図６】
2007193673.tif 000008
【図７】
2007193673.tif 000009
【図８】
2007193673.tif 000010
【図９】
2007193673.tif 000011
【図１０】
2007193673.tif 000012
【図１１】
2007193673.tif 000013
【図１２】
2007193673.tif 000014
【図１３】
2007193673.tif 000015